(57)【要約】【課題】紫外線の強度をより正確に測定することができる。【解決手段】紫外線センサ１０４は、紫外線受光面に照射される紫外線の紫外線強度を測定する。ＣＰＵ１０１は、紫外線センサ１０４の紫外線受光面が所定の方向に向いた場合に紫外線強度を測定するように制御する。【選択図】図１
2012013676.tif 000002
【特許請求の範囲】
【請求項１】
紫外線受光面に照射される紫外線の紫外線強度を測定する紫外線センサと、
前記紫外線センサの前記紫外線受光面が所定の方向に向いた場合に前記紫外線強度を測定するように制御する制御部と、
を備えたことを特徴とする紫外線測定装置。
【請求項２】
紫外線受光面に照射される紫外線の紫外線強度を測定する紫外線センサと、
前記紫外線受光面の方向を検知する姿勢検知部と、
前記紫外線センサが測定した前記紫外線強度を示す情報を表示する表示部と、
前記姿勢検知部の検知結果に基づいて、前記紫外線受光面が上方を向いていると判定した場合には前記紫外線センサに前記紫外線強度を測定させ、前記紫外線受光面が上方を向いていないと判定した場合には前記紫外線センサの動作を停止させる制御を行う制御部と、
を備えたことを特徴とする紫外線測定装置。
【請求項３】
前記制御部は、前記紫外線センサに前記紫外線強度を測定させる際には当該紫外線センサを一定期間一定間隔で動作させる
ことを特徴とする請求項２に記載の紫外線測定装置。
【請求項４】
前記制御部は、前記紫外線センサに前記紫外線強度を測定させた後一定時間経過した場合にのみ前記制御を行う
ことを特徴とする請求項２または請求項３のいずれか１項に記載の紫外線測定装置。
【請求項５】
前記制御部は、前記紫外線センサに前記紫外線強度を測定させた後一定時間経過した場合、または前記紫外線センサが前回測定した紫外線強度が基準値未満であり当該測定時から基準時間以上経過している場合にのみ前記制御を行う
ことを特徴とする請求項２または請求項３のいずれか１項に記載の紫外線測定装置。
【請求項６】
紫外線受光面に照射される紫外線の紫外線強度を測定する紫外線センサと、
前記紫外線受光面と略同一の方向に配置された受光面に照射される光に応じた電力を発電するソーラー発電部と、
前記ソーラー発電部が発電した電力量を測定する発電量測定部と、
前記紫外線センサが測定した前記紫外線強度を示す情報を表示する表示部と、
前記ソーラー発電部が発電した電力量が所定値以上である場合には前記紫外線センサに前記紫外線強度を測定させ、前記ソーラー発電部が発電した電力量が前記所定値未満である場合には前記紫外線センサの動作を停止させる制御を行う制御部と、
を備えたことを特徴とする紫外線測定装置。
【請求項７】
前記制御部は、前記紫外線センサに前記紫外線強度を測定させる際には当該紫外線センサを一定期間一定間隔で動作させる
ことを特徴とする請求項６に記載の紫外線測定装置。
【請求項８】
前記制御部は、前記紫外線センサに前記紫外線強度を測定させた後一定時間経過した場合にのみ前記制御を行う
ことを特徴とする請求項６または請求項７のいずれか１項に記載の紫外線測定装置。
【請求項９】
前記制御部は、前記紫外線センサに前記紫外線強度を測定させた後一定時間経過した場合、または前記紫外線センサが前回測定した紫外線強度が基準値未満であり当該測定時から基準時間以上経過している場合にのみ前記制御を行う
ことを特徴とする請求項６または請求項７のいずれか１項に記載の紫外線測定装置。
【請求項１０】
前記制御部は、前記紫外線センサに前記紫外線強度を測定させた後一定時間経過した場合、または前記紫外線センサが前回紫外線強度を測定した際に前記ソーラー発電部が発電した電力量よりも、当該ソーラー発電部が発電する電力量が一定量以上増加した場合にのみ前記制御を行う
ことを特徴とする請求項６または請求項７のいずれか１項に記載の紫外線測定装置。
【請求項１１】
紫外線受光面に照射される紫外線の紫外線強度を測定する紫外線センサと、
前記紫外線受光面と略同一の方向に配置された受光面を有し、当該受光面に照射される光の強度に基づいて当該受光面が光源方向に向いたことを検出する光検出部と、
前記紫外線センサが測定した紫外線強度を示す情報を表示する表示部と、
前記受光面が光源方向に向いたことを前記光検出部が検出した場合には、前記紫外線センサに紫外線強度を測定させる制御を行う制御部と、
を備えたことを特徴とする紫外線測定装置。
【請求項１２】
前記光検出部は、前記受光面が光源の方向を向いた場合に当該受光面に光が遮られることなく照射されるように、当該受光面の上方には光を透過しない材質で構成されており細い筒状の光の通り道を有する部材が配置されており、当該受光面に照射された光の強度が強い場合に当該受光面が光源方向に向いたことを検出する
ことを特徴とする請求項１１に記載の紫外線測定装置。
【請求項１３】
前記光検出部は、略同一の方向に配置された第１の受光面と第２の受光面とを有し、第１の受光面と第２の受光面とが光源の方向を向いた場合に第１の受光面に照射される光は遮られず第２の受光面に照射される光は遮られるように、第２の受光面の上方には光を透過しない部材が配置されており、第１の受光面に照射された光の強度が強く第２の受光面に照射された光の強度が弱い場合に第１の受光面と第２の受光面とが光源方向に向いたことを検出する
ことを特徴とする請求項１１に記載の紫外線測定装置。
【請求項１４】
前記紫外線センサが紫外線強度を測定したか否かを報知する音声を出力する報音部
を備えたことを特徴とする請求項１１から請求項１３のいずれか１項に記載の紫外線測定装置。
【請求項１５】
紫外線受光面に照射される紫外線の紫外線強度を測定する紫外線センサと、
前記紫外線受光面と略同一の方向に配置された第１の受光面に照射される光に応じた電力を発電する第１のソーラー発電部と、
前記紫外線受光面と略同一の方向に配置された第２の受光面に照射される光に応じた電力を発電する第２のソーラー発電部と、
前記第１の受光面に対して斜めの方向である第１の方向に光源が存在する場合に当該光源からの光の一部が前記第１の受光面に照射しないように当該光の一部を遮り、前記第２の受光面に対して斜めの方向かつ前記第１の方向とは異なる方向である第２の方向に前記光源が存在する場合に当該光源からの光の一部が前記第２の受光面に照射しないように当該光の一部を遮る外装ケースと、
前記第１のソーラー発電部が発電した前記電力と、前記第２のソーラー発電部が発電した前記電力とが同じ値である場合には前記紫外線センサに前記紫外線強度を測定させる制御を行う制御部と、
を備えたことを特徴とする紫外線測定装置。
【請求項１６】
紫外線強度計測機能及び計時機能を有する本体を腕に装着して使用する紫外線計測機能付電子腕時計において、
計時動作を行う計時手段と、
少なくとも前記計時手段による計時動作を指示操作する入力手段と、
前記本体を腕に装着した状態で視認可能な表面側に配置され、少なくとも前記計時手段が計時した情報を表示する表示手段と、
前記表面側に配設され紫外線強度を計測する紫外線強度検出手段と、
前記入力手段による指示操作と前記紫外線強度検出手段の紫外線強度計測を連動させるか否かを設定する制御手段とを備えて成ることを特徴とする紫外線計測機能付電子腕時計。
【請求項１７】
前記制御手段は、前記表示手段に、前記入力手段による指示操作と前記紫外線強度検出手段の紫外線強度計測が連動状態に設定されているか否かを表示させることを特徴とする請求項１６に記載の紫外線計測機能付電子腕時計。
【請求項１８】
前記入力手段は第１、第２、第３の入力スイッチを備え、
前記第１の入力スイッチは動作モードの切り換えを指示する機能を有し、
前記第２の入力スイッチはストップウォッチ表示状態において計時の開始又は停止を指示する機能を有し、
前記第３の入力スイッチはストップウォッチ計測状態においてラップ時間若しくはスプリット時間の計測指示、又は、ストップウォッチ停止中に計測値のリセット指示を行う機能を有し、
更に前記第１の入力スイッチ、第２の入力スイッチ及び第３の入力スイッチのうち前記制御手段によって紫外線強度計測が連動するように設定されている入力スイッチは、当該入力スイッチが有する前記機能に連動して紫外線強度計測の指示を行うことを特徴とする請求項１６または請求項１７のいずれか１項に記載の紫外線計測機能付電子腕時計。
【請求項１９】
紫外線強度計測指示が連動するように設定された入力スイッチが、前記本体を腕に装着した状態で前記紫外線強度検出手段の右側に位置するように配設されて成ることを特徴とする請求項１８に記載の紫外線強度計測機能付電子腕時計。
【請求項２０】
前記入力手段には、紫外線強度計測を指示する機能と、所定動作と紫外線強度計測を連動させるか否かを指示する機能とを有する入力スイッチが含まれて成ることを特徴とする請求項１６または請求項１７のいずれか１項に記載の紫外線計測機能付電子腕時計。
【発明の詳細な説明】
【技術分野】
【０００１】
本発明は、紫外線測定装置および紫外線計測機能付電子腕時計に関する。
【背景技術】
【０００２】
従来、紫外線センサを有し、紫外線強度を測定して測定結果を表示する紫外線測定機能付の電子機器が知られている（例えば、特許文献１、２、３参照）。また、紫外線量を測定する電子機器は、紫外線の測定の開始を指示するスタートスイッチが押下されることによって測定を開始するものが一般的である。
【０００３】
また、従来の紫外線測定機能付電子機器としては、紫外線の強度を測定したときの瞬時値、もしくは、測定した紫外線強度の累積値（例えば、特許文献４、５参照）、もしくは測定した紫外線強度の平均値（例えば、特許文献１参照）を表示するように構成されたものが知られている。また、消費電流の抑制については、「紫外線強度測定時間を一定時間にする」技術が知られている（例えば、特許文献３参照）。
【先行技術文献】
【特許文献】
【０００４】
【特許文献１】実開平６−５１８３７号公報
【特許文献２】実開平２−６０８２８号公報
【特許文献３】実開平２−１６０３１号公報
【特許文献４】特開２００１−２５５２０５号公報
【特許文献５】特開平１−２６２４２６号公報
【発明の概要】
【発明が解決しようとする課題】
【０００５】
紫外線センサは、太陽に正対させたときに最大値を出力するものであり、太陽の方を向けていないと、正確な紫外線量を測定することが出来ない。しかしながら、首からぶら下げるタイプの歩数計や腕時計などのような身につける機器に紫外線測定機能を搭載した場合や、従来の小型・携帯型の紫外線測定機器では、機器の向きが不定であるため紫外線センサの向きが都度異なる。そのため、紫外線センサの紫外線受光面が太陽の方向に向かない場合があり、正確な紫外線強度を測定することが困難となる課題がある。例えば、紫外線センサの紫外線受光面が下方を向いてしまった場合では、実際の太陽光による紫外線量が強いにも関わらず、紫外線量が弱いもしくは紫外線が無いと判定されてしまうという課題がある。
【０００６】
そこで本発明は、紫外線の強度をより正確に測定することができる紫外線測定装置および紫外線計測機能付電子腕時計を提供することを目的とする。
【課題を解決するための手段】
【０００７】
本発明は、紫外線受光面に照射される紫外線の紫外線強度を測定する紫外線センサと、前記紫外線センサの前記紫外線受光面が所定の方向に向いた場合に前記紫外線強度を測定するように制御する制御部と、を備えたことを特徴とする紫外線測定装置である。
【０００８】
また、本発明は、紫外線受光面に照射される紫外線の紫外線強度を測定する紫外線センサと、前記紫外線受光面の方向を検知する姿勢検知部と、前記紫外線センサが測定した前記紫外線強度を示す情報を表示する表示部と、前記姿勢検知部の検知結果に基づいて、前記紫外線受光面が上方を向いていると判定した場合には前記紫外線センサに前記紫外線強度を測定させ、前記紫外線受光面が上方を向いていないと判定した場合には前記紫外線センサの動作を停止させる制御を行う制御部と、を備えたことを特徴とする紫外線測定装置である。
【０００９】
また、本発明の紫外線測定装置において、前記制御部は、前記紫外線センサに前記紫外線強度を測定させる際には当該紫外線センサを一定期間一定間隔で動作させることを特徴とする。
【００１０】
また、本発明の紫外線測定装置において、前記制御部は、前記紫外線センサに前記紫外線強度を測定させた後一定時間経過した場合にのみ前記制御を行うことを特徴とする。
【００１１】
また、本発明の紫外線測定装置において、前記制御部は、前記紫外線センサに前記紫外線強度を測定させた後一定時間経過した場合、または前記紫外線センサが前回測定した紫外線強度が基準値未満であり当該測定時から基準時間以上経過している場合にのみ前記制御を行うことを特徴とする。
【００１２】
また、本発明は、紫外線受光面に照射される紫外線の紫外線強度を測定する紫外線センサと、前記紫外線受光面と略同一の方向に配置された受光面に照射される光に応じた電力を発電するソーラー発電部と、前記ソーラー発電部が発電した電力量を測定する発電量測定部と、前記紫外線センサが測定した前記紫外線強度を示す情報を表示する表示部と、前記ソーラー発電部が発電した電力量が所定値以上である場合には前記紫外線センサに前記紫外線強度を測定させ、前記ソーラー発電部が発電した電力量が前記所定値未満である場合には前記紫外線センサの動作を停止させる制御を行う制御部と、を備えたことを特徴とする紫外線測定装置である。
【００１３】
また、本発明の紫外線測定装置において、前記制御部は、前記紫外線センサに前記紫外線強度を測定させる際には当該紫外線センサを一定期間一定間隔で動作させることを特徴とする。
【００１４】
また、本発明の紫外線測定装置において、前記制御部は、前記紫外線センサに前記紫外線強度を測定させた後一定時間経過した場合にのみ前記制御を行うことを特徴とする。
【００１５】
また、本発明の紫外線測定装置において、前記制御部は、前記紫外線センサに前記紫外線強度を測定させた後一定時間経過した場合、または前記紫外線センサが前回測定した紫外線強度が基準値未満であり当該測定時から基準時間以上経過している場合にのみ前記制御を行うことを特徴とする。
【００１６】
また、本発明の紫外線測定装置において、前記制御部は、前記紫外線センサに前記紫外線強度を測定させた後一定時間経過した場合、または前記紫外線センサが前回紫外線強度を測定した際に前記ソーラー発電部が発電した電力量よりも、当該ソーラー発電部が発電する電力量が一定量以上増加した場合にのみ前記制御を行うことを特徴とする。
【００１７】
また、本発明は、紫外線受光面に照射される紫外線の紫外線強度を測定する紫外線センサと、前記紫外線受光面と略同一の方向に配置された受光面を有し、当該受光面に照射される光の強度に基づいて当該受光面が光源方向に向いたことを検出する光検出部と、前記紫外線センサが測定した紫外線強度を示す情報を表示する表示部と、前記受光面が光源方向に向いたことを前記光検出部が検出した場合には、前記紫外線センサに紫外線強度を測定させる制御を行う制御部と、を備えたことを特徴とする紫外線測定装置である。
【００１８】
また、本発明の紫外線測定装置において、前記光検出部は、前記受光面が光源の方向を向いた場合に当該受光面に光が遮られることなく照射されるように、当該受光面の上方には光を透過しない材質で構成されており細い筒状の光の通り道を有する部材が配置されており、当該受光面に照射された光の強度が強い場合に当該受光面が光源方向に向いたことを検出することを特徴とする。
【００１９】
また、本発明の紫外線測定装置において、前記光検出部は、略同一の方向に配置された第１の受光面と第２の受光面とを有し、第１の受光面と第２の受光面とが光源の方向を向いた場合に第１の受光面に照射される光は遮られず第２の受光面に照射される光は遮られるように、第２の受光面の上方には光を透過しない部材が配置されており、第１の受光面に照射された光の強度が強く第２の受光面に照射された光の強度が弱い場合に第１の受光面と第２の受光面とが光源方向に向いたことを検出することを特徴とする。
【００２０】
また、本発明は、前記紫外線センサが紫外線強度を測定したか否かを報知する音声を出力する報音部を備えたことを特徴とする紫外線測定装置である。
【００２１】
また、本発明は、紫外線受光面に照射される紫外線の紫外線強度を測定する紫外線センサと、前記紫外線受光面と略同一の方向に配置された第１の受光面に照射される光に応じた電力を発電する第１のソーラー発電部と、前記紫外線受光面と略同一の方向に配置された第２の受光面に照射される光に応じた電力を発電する第２のソーラー発電部と、前記第１の受光面に対して斜めの方向である第１の方向に光源が存在する場合に当該光源からの光の一部が前記第１の受光面に照射しないように当該光の一部を遮り、前記第２の受光面に対して斜めの方向かつ前記第１の方向とは異なる方向である第２の方向に前記光源が存在する場合に当該光源からの光の一部が前記第２の受光面に照射しないように当該光の一部を遮る外装ケースと、前記第１のソーラー発電部が発電した前記電力と、前記第２のソーラー発電部が発電した前記電力とが同じ値である場合には前記紫外線センサに前記紫外線強度を測定させる制御を行う制御部と、を備えたことを特徴とする紫外線測定装置である。
【００２２】
また、本発明は、紫外線強度計測機能及び計時機能を有する本体を腕に装着して使用する紫外線計測機能付電子腕時計において、計時動作を行う計時手段と、少なくとも前記計時手段による計時動作を指示操作する入力手段と、前記本体を腕に装着した状態で視認可能な表面側に配置され、少なくとも前記計時手段が計時した情報を表示する表示手段と、前記表面側に配設され紫外線強度を計測する紫外線強度検出手段と、前記入力手段による指示操作と前記紫外線強度検出手段の紫外線強度計測を連動させるか否かを設定する制御手段とを備えて成ることを特徴とする紫外線計測機能付電子腕時計である。
【００２３】
また、本発明の紫外線計測機能付電子腕時計において、前記制御手段は、前記表示手段に、前記入力手段による指示操作と前記紫外線強度検出手段の紫外線強度計測が連動状態に設定されているか否かを表示させることを特徴とする。
【００２４】
また、本発明の紫外線計測機能付電子腕時計において、前記入力手段は第１、第２、第３の入力スイッチを備え、前記第１の入力スイッチは動作モードの切り換えを指示する機能を有し、前記第２の入力スイッチはストップウォッチ表示状態において計時の開始又は停止を指示する機能を有し、前記第３の入力スイッチはストップウォッチ計測状態においてラップ時間若しくはスプリット時間の計測指示、又は、ストップウォッチ停止中に計測値のリセット指示を行う機能を有し、更に前記第１の入力スイッチ、第２の入力スイッチ及び第３の入力スイッチのうち前記制御手段によって紫外線強度計測が連動するように設定されている入力スイッチは、当該入力スイッチが有する前記機能に連動して紫外線強度計測の指示を行うことを特徴とする。
【００２５】
また、本発明の紫外線計測機能付電子腕時計において、紫外線強度計測指示が連動するように設定された入力スイッチが、前記本体を腕に装着した状態で前記紫外線強度検出手段の右側に位置するように配設されて成ることを特徴とする。
【００２６】
また、本発明の紫外線計測機能付電子腕時計において、前記入力手段には、紫外線強度計測を指示する機能と、所定動作と紫外線強度計測を連動させるか否かを指示する機能とを有する入力スイッチが含まれて成ることを特徴とする。
【発明の効果】
【００２７】
本発明によれば、紫外線センサは、紫外線受光面に照射される紫外線の紫外線強度を測定する。また、制御部は、紫外線センサの紫外線受光面が所定の方向に向いた場合に紫外線強度を測定するように制御する。これにより、紫外線センサの紫外線受光面が所定の方向に向いた際に紫外線の測定を行うことができるため、紫外線の強度をより正確に測定することができる。
【図面の簡単な説明】
【００２８】
【図１】本発明の第一の実施形態における紫外線測定装置の構成を示したブロック図である。
【図２】本発明の第一の実施形態における紫外線測定装置の外観を示した外観図である。
【図３】本発明の第一の実施形態において、ある時間帯での姿勢検知部の出力例を示したグラフである。
【図４】本発明の第一の実施形態における紫外線測定装置の動作を示したフローチャートである。
【図５】本発明の第二の実施形態における紫外線測定装置の動作を示したフローチャートである。
【図６】本発明の第三の実施形態における紫外線測定装置の動作を示したフローチャートである。
【図７】本発明の第四の実施形態における紫外線測定装置の動作を示したフローチャートである。
【図８】本発明の第五の実施形態における紫外線測定装置の構成を示したブロック図である。
【図９】本発明の第五の実施形態における紫外線測定装置の外観を示した外観図である。
【図１０】本発明の第五の実施形態において、ソーラー発電部に照射される光の照度とソーラー発電部の発電電圧との関係を示したグラフ、および室内における照度と、曇りの場合の屋外の照度と、晴天の場合の屋外の照度とを示した図である。
【図１１】本発明の第五の実施形態における紫外線測定装置の動作を示したフローチャートである。
【図１２】本発明の第六の実施形態における紫外線測定装置の動作を示したフローチャートである。
【図１３】本発明の第七実施形態における紫外線測定装置の動作を示したフローチャートである。
【図１４】本発明の第八の実施形態における紫外線測定装置の動作を示したフローチャートである。
【図１５】本発明の第九の実施形態における紫外線測定装置の動作を示したフローチャートである。
【図１６】本発明の第十の実施形態における紫外線測定装置の構成を示したブロック図である。
【図１７】本発明の第十の実施形態における光検出部の回路構成を示した回路図である。
【図１８】本発明の第十の実施形態における紫外線測定装置の断面図である。
【図１９】本発明の第十の実施形態において、測定した紫外線量を、ＵＶインデックスを用いて表示部に表示する際の画面例を示した概略図である。
【図２０】本発明の第十の実施形態において、測定した紫外線量を、三段階で表示部に表示する際の画面例を示した概略図である。
【図２１】本発明の第十の実施形態において、紫外線量を測定しない場合に表示部に表示する画面例を示した概略図である。
【図２２】本発明の第十の実施形態における紫外線測定装置の動作を示したフローチャートである。
【図２３】本発明の第十の実施形態における紫外線測定装置が備える紫外線検出部と光検出部との配置例を示した概略図である。
【図２４】本発明の第十一の実施形態に係る紫外線計測機能付電子腕時計のブロック図である。
【図２５】本発明の第十一の実施形態に係る紫外線計測機能付電子腕時計本体の外観を示す正面図である。
【図２６】本発明の第十一の実施形態に係る紫外線計測機能付電子腕時計のフローチャートである。
【図２７】本発明の第十一の実施形態に係る紫外線計測機能付電子腕時計の動作説明図である。
【図２８】本発明の第十二の実施形態における紫外線測定装置の構成を示したブロック図である。
【図２９】本発明の第十二の実施形態における紫外線測定装置の外観を示した外観図である。
【図３０】本発明の第十二の実施形態における紫外線測定装置の断面図である。
【図３１】本発明の第十二の実施形態における紫外線測定装置の動作を示したフローチャートである。
【発明を実施するための形態】
【００２９】
（第一の実施形態）
以下、本発明の第一の実施形態について、図面を参照しながら説明する。図１は、本実施形態における紫外線測定装置の構成を示したブロック図である。図示する例では、紫外線測定装置１００は、ＣＰＵ１０１（中央処理装置、制御部）と、発振部１０２と、入力部１０３と、紫外線センサ１０４と、増幅部１０５と、Ａ／Ｄ（アナログ−デジタル）変換部１０６と、時計部１０７と、表示部１０８と、記憶部１０９と、姿勢検知部１１０とを備える。
【００３０】
ＣＰＵ１０１は、紫外線測定装置１００が備える各部の制御を行う。発振部１０２は、ＣＰＵ１０１用の規準クロック信号や計時用の時計信号を出力する。入力部１０３は、外部から操作可能なスイッチによって構成されており、入力を受け付ける。紫外線センサ１０４は、紫外線を受光する紫外線受光面を備え、受光した（照射された）紫外線の強度に応じたアナログ信号を出力する。増幅部１０５は、紫外線センサ１０４が出力するアナログ信号を増幅する。Ａ／Ｄ変換部１０６は、増幅部１０５が増幅したアナログ信号をデジタル信号に変換する。時計部１０７は、現在の日時（日付、時刻）を示す情報を出力する。表示部１０８は、紫外線センサ１０４が測定した紫外線の強度を示す情報（測定値（μＷ／ｃｍ２）、ＵＶインデックスなど）や日時などを表示する。
【００３１】
記憶部１０９は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、ＣＰＵ１０１が実行するプログラムや、測定した紫外線の強度や紫外線の強度を測定した時刻など、紫外線測定装置１００が用いるデータを記憶する。姿勢検知部１１０は、加速度センサなどであり、紫外線センサ１０４の紫外線受光面の姿勢（向き）を検知する。
【００３２】
次に、本実施形態における紫外線測定装置１００の外観について説明する。図２は、本実施形態における紫外線測定装置１００の外観を示した外観図である。図示する例では、紫外線測定装置１００は腕時計型の装置である。以下、紫外線測定装置１００の左側から右側に向かう方向をＸ軸方向とし、下側から上側に向かう方向をＹ軸方向とし、前面から背面に向かう方向をＺ軸方向とする。
【００３３】
紫外線測定装置１００の前面には、紫外線センサ１０４の紫外線受光面と、表示部１０８とが配置されている。また、紫外線測定装置１００の側面には入力部１０３が配置されている。また、紫外線測定装置１００の内部には、Ｚ軸方向の加速度を検出する姿勢検知部１１０が配置されている。
【００３４】
このように、紫外線測定装置１００には、紫外線センサ１０４の紫外線受光面がＺ軸方向とは反対の方向を向くように配置されている。また、紫外線測定装置１００は、Ｚ軸方向の加速度を検出する姿勢検知部１１０を備えている。従って、紫外線測定装置１００は、姿勢検知部１１０の出力に基づいて、紫外線センサ１０４の紫外線受光面が上方（空、太陽の方向、所定の方向）に向いているか否かを判定することができる。
【００３５】
図３は、本実施形態において、ある時間帯での姿勢検知部１１０の出力例を示したグラフである。図示する例では、姿勢検知部１１０は、Ｚ軸方向の加速度の他に、Ｘ軸方向の加速度とＹ軸方向の加速度とを出力している。Ｚ軸方向の加速度が重力加速度（１Ｇ＝１０００ｍＧ）と同じ程度の加速度の場合は、Ｚ軸方向が地面の方向（引力の方向、下方）に向いている。従って、Ｚ軸方向の加速度が１０００ｍＧ程度の場合には、紫外線測定装置１００の前面に配置されている紫外線センサ１０４の紫外線受光面が上方を向いている。
【００３６】
図示する例では、６秒から１２秒までの間、および２０秒から２５秒までの間では、Ｚ軸方向の加速度は１０００ｍＧ程度である。従って、６秒から１２秒までの間、および２０秒から２５秒までの間では、紫外線センサ１０４の紫外線受光面は空（太陽）の方向を向いていたことが分かる。
【００３７】
次に、本実施形態における紫外線測定装置１００の動作について説明する。図４は、本実施形態における紫外線測定装置１００の動作を示したフローチャートである。
【００３８】
（ステップＳ１０１）ＣＰＵ１０１は、姿勢検知部１１０が出力するＺ軸方向の加速度を取得する。その後、ステップＳ１０２の処理に進む。
【００３９】
（ステップＳ１０２）ＣＰＵ１０１は、ステップＳ１０１で取得したＺ軸方向の加速度に基づいて、紫外線センサ１０４の紫外線受光面が上方を向いているか否かを判定する。紫外線センサ１０４の紫外線受光面が上方を向いていると判定した場合にはステップＳ１０３の処理に進み、それ以外の場合にはステップＳ１０５の処理に進む。例えば、ＣＰＵ１０１は、ステップＳ１０１で取得したＺ軸方向の加速度が１０００ｍＧ以上であれば紫外線センサ１０４の紫外線受光面が上方を向いていると判定する。
【００４０】
（ステップＳ１０３）ＣＰＵ１０１は、紫外線強度の測定開始条件を満たすと判定する。その後、ステップＳ１０４の処理に進む。
（ステップＳ１０４）ＣＰＵ１０１は、紫外線強度を測定する機能を動作させる。その後、処理を終了する。具体的には、ＣＰＵ１０１は、紫外線センサ１０４と、増幅部１０５と、Ａ／Ｄ変換部１０６とを動作させる。これにより、紫外線センサ１０４は、紫外線の強度に応じたアナログ信号を出力し、増幅部１０５は、紫外線センサ１０４が出力するアナログ信号を増幅し、Ａ／Ｄ変換部１０６は、増幅部１０５が増幅したアナログ信号をデジタル信号に変換する。
【００４１】
（ステップＳ１０５）ＣＰＵ１０１は、紫外線強度の測定開始条件を満たしていないと判定する。その後、ステップＳ１０６の処理に進む。
（ステップＳ１０６）ＣＰＵ１０１は、紫外線強度を測定する機能を停止させる。その後、処理を終了する。具体的には、ＣＰＵ１０１は、紫外線センサ１０４と、増幅部１０５と、Ａ／Ｄ変換部１０６とを停止させる。これにより、紫外線センサ１０４と、増幅部１０５と、Ａ／Ｄ変換部１０６とが消費する電力を抑えることができる。
【００４２】
上述したとおり、本実施形態によれば、紫外線測定装置１００は、姿勢検知部１１０の出力に基づいて、紫外線センサ１０４の紫外線受光面が上方を向いているか否かを判定し、紫外線センサ１０４の紫外線受光面が上方を向いている場合には紫外線強度を測定する機能を動作させ、それ以外の場合には紫外線強度を測定する機能を停止させる。
【００４３】
これにより、ユーザーが紫外線の強度を測定するための操作を行うことなく、紫外線測定装置１００は、紫外線センサ１０４の紫外線受光面が上方を向いている場合には自動的に紫外線の測定を行うことができる。また、紫外線測定装置１００は、紫外線センサ１０４の紫外線受光面が上方を向いている場合に紫外線強度の測定を行うため、紫外線の強度をより正確に測定することができる。さらに、紫外線測定装置１００は、紫外線センサ１０４の紫外線受光面が上方を向いていない場合には、自動的に紫外線の測定を停止させるため、消費電力を削減することができる。
【００４４】
（第二の実施形態）
以下、本発明の第二の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、紫外線強度の測定を行う場合に、ある一定期間、一定間隔（サンプリング）で紫外線強度を取得し、最大値を測定値とする。これは、紫外線強度の測定を行う場合に、常に紫外線強度を取得するのではなく、一定間隔で紫外線強度を取得することで、より消費電力を削減させるためである。なお、紫外線測定装置１００が紫外線強度を取得する一定期間および一定間隔は予め定められていてもよく、ユーザーの指定により任意に変更できるようにしてもよい。
【００４５】
次に、本実施形態における紫外線測定装置１００の動作について説明する。図５は、本実施形態における紫外線測定装置１００の動作を示したフローチャートである。
【００４６】
（ステップＳ２０１）ＣＰＵ１０１は、姿勢検知部１１０が出力するＺ軸方向の加速度を取得する。その後、ステップＳ２０２の処理に進む。
【００４７】
（ステップＳ２０２）ＣＰＵ１０１は、ステップＳ１０１で取得したＺ軸方向の加速度に基づいて、紫外線センサ１０４の紫外線受光面が上方を向いているか否かを判定する。紫外線センサ１０４の紫外線受光面が上方を向いていると判定した場合にはステップＳ２０３の処理に進み、それ以外の場合にはステップＳ２０１の処理に戻る。
【００４８】
（ステップＳ２０３）ＣＰＵ１０１は、紫外線強度の測定開始条件を満たすと判定する。その後、ステップＳ２０４の処理に進む。
（ステップＳ２０４）ＣＰＵ１０１は、紫外線強度の測定（ステップＳ２０５〜ステップＳ２０９の処理）を開始する。
【００４９】
（ステップＳ２０５）ＣＰＵ１０１は、時計部１０７が出力する現在の時刻と、記憶部１０９に記憶されている前回紫外線の強度を取得した時刻とに基づいて、前回紫外線の強度を取得した時刻からｎ秒（一定間隔、例えば、１２５ｍｓ）経過したか否かを判定する。時計部１０７が出力する現在の時刻が、記憶部１０９に記憶されている前回紫外線の強度を取得した時刻からｎ秒経過しているとＣＰＵ１０１が判定した場合にはステップＳ２０６の処理に進み、それ以外の場合にはステップＳ２０５の処理を再度実行する。なお、ステップＳ２０５の処理を初めて行った場合には、未だ紫外線強度を取得していないため、ステップＳ２０６の処理に進む。
【００５０】
（ステップＳ２０６）紫外線ＣＰＵ１０１は、紫外線センサ１０４と、増幅部１０５と、Ａ／Ｄ変換部１０６とを動作させる。紫外線センサ１０５は、紫外線の強度に応じたアナログ信号を出力する。増幅部１０５は、紫外線センサ１０４が出力するアナログ信号を増幅する。Ａ／Ｄ変換部１０６は、増幅部１０５が増幅したアナログ信号をデジタル信号に変換する。ＣＰＵ１０１は、入力されたデジタル信号に基づいて紫外線の強度を取得し、時計部１０７が出力する現在の時刻と取得した紫外線強度とを関連付けて記憶部１０９に記憶させる。その後、ステップＳ２０７の処理に進む。
【００５１】
（ステップＳ２０７）ＣＰＵ１０１は、姿勢検知部１１０が出力するＺ軸方向の加速度を取得する。その後、ステップＳ２０８の処理に進む。
【００５２】
（ステップＳ２０８）ＣＰＵ１０１は、ステップＳ２０７で取得したＺ軸方向の加速度に基づいて、紫外線センサ１０４の紫外線受光面が上方を向いているか否かを判定する。紫外線センサ１０４の紫外線受光面が上方を向いていると判定した場合にはステップＳ２０９の処理に進み、それ以外の場合にはステップＳ２１０の処理に進む。
【００５３】
（ステップＳ２０９）ＣＰＵ１０１は、時計部１０７が出力する現在の時刻と、記憶部１０９に記憶されている一番初めに紫外線強度を取得した時刻とに基づいて、一番初めに紫外線強度を取得した時刻からｍ秒（一定期間、例えば３０秒）経過したか否かを判定する。時計部１０７が出力する現在の時刻が、記憶部１０９に記憶されている一番初めに紫外線強度を取得した時刻からｍ秒経過しているとＣＰＵ１０１が判定した場合にはステップＳ２１０の処理に進み、それ以外の場合にはステップＳ２０５の処理に戻る。
【００５４】
（ステップＳ２１０）ＣＰＵ１０１は、紫外線強度の測定（ステップＳ２０５〜ステップＳ２０９の処理）を終了する。その後、ステップＳ２１１の処理に進む。
（ステップＳ２１１）ＣＰＵ１０１は、ステップＳ２０６で取得した紫外線強度のうち、最大の値を検索する。その後、ステップＳ２１２の処理に進む。
（ステップＳ２１２）ＣＰＵ１０１は、ステップＳ２１１で検索した紫外線強度のうち最大の値を、測定した紫外線強度値として表示部１０８に表示させる。その後、処理を終了する。
【００５５】
上述したとおり、本実施形態によれば、紫外線測定装置１００は、姿勢検知部１１０の出力に基づいて、紫外線センサ１０４の紫外線受光面が上方を向いているか否かを判定し、紫外線センサ１０４の紫外線受光面が上方を向いている場合にのみ紫外線強度を測定する。また、紫外線測定装置１００は、紫外線強度の測定を行う場合に、ある一定期間、一定間隔（サンプリング）で紫外線強度を取得し、取得した紫外線強度のうち最大値を紫外線強度の測定値とする。これにより、紫外線測定装置１００が紫外線強度を取得する回数は少なくなるため、より消費電力を低減することができる。
【００５６】
（第三の実施形態）
以下、本発明の第三の実施形態について、図面を参照しながら説明する。本実施形態の紫外線測定装置１００の構成は、第二の実施形態における紫外線測定装置１００の構成と同様の構成である。本実施形態の紫外線測定装置１００と第二の実施形態における紫外線測定装置１００とで異なる点は、本実施形態の紫外線測定装置１００は、前回紫外線強度を測定してから一定時間経過した場合にのみ、次の紫外線強度の測定を開始する点である。これは、紫外線の強度は頻繁には変化しないため、一定時間毎に紫外線強度の測定を開始することで、より消費電力を低減させるためである。なお、紫外線測定装置１００が紫外線強度の測定を開始する時間間隔（一定時間）は予め定められていてもよく、ユーザーの指定により任意に変更できるようにしてもよい。
【００５７】
次に、本実施形態における紫外線測定装置１００の動作について説明する。図６は、本実施形態における紫外線測定装置１００の動作を示したフローチャートである。
【００５８】
（ステップＳ３０１）ＣＰＵ１０１は、時計部１０７が出力する現在の時刻が、記憶部１０９に記憶されている前回紫外線強度の測定を終了した時刻からｘ分（一定時間、例えば３０分）経過したか否かを判定する。時計部１０７が出力する現在の時刻が、記憶部１０９に記憶されている前回紫外線強度の測定を終了した時刻からｘ分経過しているとＣＰＵ１０１が判定した場合にはステップＳ３０２の処理に進み、それ以外の場合には処理を終了する。なお、一度も紫外線強度の測定を行っていない場合には、ステップＳ３０２の処理に進む。
【００５９】
ステップＳ３０２〜ステップＳ３１０の処理は、第２の実施形態におけるステップＳ２０１〜ステップＳ２０９の処理と同様の処理である。
【００６０】
（ステップＳ３１１）ＣＰＵ１０１は、紫外線強度の測定（ステップＳ３０６〜ステップＳ３１０の処理）を終了し、紫外線強度の測定を終了した時刻として時計部１０７が出力する現在の時刻を記憶部１０９に記憶させる。その後、ステップＳ３１２の処理に進む。
（ステップＳ３１２）ＣＰＵ１０１は、ステップＳ３０７で取得した紫外線強度のうち、最大の値を検索する。その後、ステップＳ３１３の処理に進む。
（ステップＳ３１３）ＣＰＵ１０１は、ステップＳ３１２で検索した紫外線強度のうち最大の値を、測定した紫外線強度値として表示部１０８に表示させる。その後、処理を終了する。
【００６１】
上述したとおり、本実施形態によれば、紫外線測定装置１００は、姿勢検知部１１０の出力に基づいて、紫外線センサ１０４の紫外線受光面が上方を向いているか否かを判定し、紫外線センサ１０４の紫外線受光面が上方を向いている場合にのみ紫外線強度を測定する。また、紫外線測定装置１００は、紫外線強度の測定を行う場合に、ある一定期間、一定間隔（サンプリング）で紫外線強度を取得し、取得した紫外線強度のうち最大値を紫外線強度の測定値とする。また、紫外線測定装置１００は、前回紫外線強度を測定してから一定時間経過した場合にのみ、次の紫外線強度の測定を開始する。これにより、紫外線測定装置１００が紫外線強度を測定する回数は少なくなるため、より消費電力を低減することができる。
【００６２】
（第四の実施形態）
以下、本発明の第四の実施形態について、図面を参照しながら説明する。本実施形態の紫外線測定装置１００の構成は、第三の実施形態における紫外線測定装置１００の構成と同様の構成である。本実施形態の紫外線測定装置１００と第三の実施形態における紫外線測定装置１００とで異なる点は、本実施形態の紫外線測定装置１００は、前回紫外線強度を測定してから一定時間経過していない場合でも、前回測定した紫外線強度が基準値未満であり、前回紫外線強度を測定してから基準時間以上経過したときには、次の紫外線強度の測定を開始する点である。
【００６３】
これは、偶然太陽が雲に隠れたときなど紫外線の強度が弱い時に紫外線を測定した場合、太陽が雲に隠れていないときなど紫外線の強度が強い時の紫外線の強度と大きく異なってしまう。そのため、前回測定した紫外線強度が基準値未満である場合には、再度紫外線強度を測定するまでの時間間隔（基準時間）を短くすることで、ユーザーの使用感を損なうことなく紫外線強度の測定を行うことができる。なお、前回測定した紫外線強度が基準値未満である場合に、紫外線測定装置１００が再度紫外線強度を測定するまでの時間間隔（基準時間）は予め定められていてもよく、ユーザーの指定などにより任意に変更できるようにしてもよい。
【００６４】
次に、本実施形態における紫外線測定装置１００の動作について説明する。図７は、本実施形態における紫外線測定装置１００の動作を示したフローチャートである。
【００６５】
（ステップＳ４０１）ＣＰＵ１０１は、時計部１０７が出力する現在の時刻が、記憶部１０９に記憶されている前回紫外線強度の測定を終了した時刻からｘ分（一定時間、例えば３０分）経過したか否かを判定する。時計部１０７が出力する現在の時刻が、記憶部１０９に記憶されている前回紫外線強度の測定を終了した時刻からｘ分経過しているとＣＰＵ１０１が判定した場合にはステップＳ４０２の処理に進み、それ以外の場合にはステップＳ４１４の処理に進む。なお、一度も紫外線強度の測定を行っていない場合には、ステップＳ４０２の処理に進む。
【００６６】
ステップＳ４０２〜ステップＳ４１１の処理は、第３の実施形態におけるステップＳ３０２〜ステップＳ３１１の処理と同様の処理である。
【００６７】
（ステップＳ４１２）ＣＰＵ１０１は、ステップＳ４０７で取得した紫外線強度のうち最大の値を検索する。続いて、ＣＰＵ１０１は、検索した紫外線強度の最大の値を、ステップＳ４１１で記憶部１０９に記憶させた紫外線強度の測定を終了した時刻に関連付けて、記憶部１０９に記憶させる。その後、ステップＳ４１３の処理に進む。
（ステップＳ４１３）ＣＰＵ１０１は、ステップＳ４１２で検索した紫外線強度のうち最大の値を、測定した紫外線強度値として表示部１０８に表示させる。その後、処理を終了する。
【００６８】
（ステップＳ４１４）ＣＰＵ１０１は、記憶部１０９に記憶されている前回紫外線強度を測定した際の紫外線強度値が基準値以上であるか否かを判定する。前回紫外線強度を測定した際の紫外線強度値が基準値以上であるとＣＰＵ１０１が判定した場合には処理を終了し、それ以外の場合にはステップＳ４１５の処理に進む。
【００６９】
（ステップＳ４１５）ＣＰＵ１０１は、時計部１０７が出力する現在の時刻が、記憶部１０９に記憶されている前回紫外線強度の測定を終了した時刻からｙ分（基準時間、例えば１０分）経過したか否かを判定する。時計部１０７が出力する現在の時刻が、記憶部１０９に記憶されている前回紫外線強度の測定を終了した時刻からｙ分経過しているとＣＰＵ１０１が判定した場合にはステップＳ４０２の処理に戻り、それ以外の場合には処理を終了する。
【００７０】
上述したとおり、本実施形態によれば、紫外線測定装置１００は、姿勢検知部１１０の出力に基づいて、紫外線センサ１０４の紫外線受光面が上方を向いているか否かを判定し、紫外線センサ１０４の紫外線受光面が上方を向いている場合にのみ紫外線強度を測定する。また、紫外線測定装置１００は、紫外線強度の測定を行う場合に、ある一定期間、一定間隔（サンプリング）で紫外線強度を取得し、取得した紫外線強度のうち最大値を紫外線強度の測定値とする。また、紫外線測定装置１００は、前回紫外線強度を測定してから一定時間経過していない場合でも、前回測定した紫外線強度が基準値未満であり、前回紫外線強度を測定してから基準時間以上経過したときには、次の紫外線強度の測定を開始する。これにより、ユーザーの使用感を損なうことなく紫外線強度の測定を行うことができる。
【００７１】
なお、上述した第一の実施形態から第四の実施形態における紫外線測定装置１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の第一の実施形態から第四の実施形態について説明したが、本発明は、上記実施形態に限定されるものではなく、本発明の趣旨を逸脱しない範囲において種々の変更を加えることが可能である。例えば、紫外線測定装置１００は腕時計型の装置ではなく、容易に持ち運びが可能なように小型の装置としてもよい。また、紫外線測定装置１００を歩数計など他の電子機器に組み込んでもよい。また、姿勢検知部１１０は、Ｚ軸方向の加速度を測定する加速度センサを備えた構成を例として説明したが、これに限らない。例えば、姿勢検知部１１０の構成は、傾斜スイッチなど、紫外線センサ１０４の紫外線受光面が上方を向いていることを検知することができる構成であればどのような構成としてもよい。
【００７４】
（第五の実施形態）
以下、本発明の第五の実施形態について、図面を参照しながら説明する。図８は、本実施形態における紫外線測定装置の構成を示したブロック図である。図示する例では、紫外線測定装置５００は、ＣＰＵ１０１（中央処理装置、制御部）と、発振部１０２と、入力部１０３と、紫外線センサ１０４と、増幅部１０５と、Ａ／Ｄ（アナログ−デジタル）変換部１０６と、時計部１０７と、表示部１０８と、記憶部１０９と、電池部５１０と、ソーラー発電部１１１と、発電電圧検知部１１２とを備える。
【００７５】
ＣＰＵ１０１は、紫外線測定装置５００が備える各部の制御を行う。発振部１０２は、ＣＰＵ１０１用の規準クロック信号や計時用の時計信号を出力する。入力部１０３は、外部から操作可能なスイッチによって構成されており、入力を受け付ける。紫外線センサ１０４は、紫外線を受光する紫外線受光面を備え、受光した（照射された）紫外線の強度に応じたアナログ信号を出力する。増幅部１０５は、紫外線センサ１０４が出力するアナログ信号を増幅する。Ａ／Ｄ変換部１０６は、増幅部１０５が増幅したアナログ信号をデジタル信号に変換する。時計部１０７は、現在の日時（日付、時刻）を示す情報を出力する。表示部１０８は、紫外線センサ１０４が測定した紫外線の強度を示す情報（測定値（μＷ／ｃｍ２）、ＵＶインデックスなど）や日時などを表示する。
【００７６】
記憶部１０９は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、ＣＰＵ１０１が実行するプログラムや、測定した紫外線の強度や紫外線の強度を測定した時刻など、紫外線測定装置５００が用いるデータを記憶する。電池部５１０は、充電可能な二次電池であり、紫外線測定装置５００が備える各部に電力を供給する。ソーラー発電部１１１は光を受光する受光面を備えた太陽電池であり、受光した（照射された）光に応じた電力を発電して電池部５１０を充電する。発電電圧検知部１１２（発電量測定部）は、ソーラー発電部１１１が発電した電圧（発電量）を検知する。
【００７７】
次に、本実施形態における紫外線測定装置５００の外観について説明する。図９は、本実施形態における紫外線測定装置５００の外観を示した外観図である。図示する例では、紫外線測定装置５００は腕時計型の装置である。また、紫外線測定装置５００には、紫外線センサ１０４の紫外線受光面（紫外線を検知する方向）と、ソーラー発電部１１１の受光面（光を受ける方向）とが同じ方向（または、ほぼ同じ方向）を向くように、紫外線センサ１０４と、ソーラー発電部１１１とが紫外線測定装置５００の前面に配置されている。また、紫外線測定装置５００には、表示部１０８が紫外線測定装置５００の前面に配置されており、入力部１０３が紫外線測定装置５００の側面に配置されている。
【００７８】
このように、紫外線測定装置５００には、紫外線センサ１０４の紫外線受光面とソーラー発電部１１１の受光面とが同じ方向（または、ほぼ同じ方向）となるように、紫外線センサ１０４とソーラー発電部１１１とが配置されている。また、ソーラー発電部１１１の受光面が太陽の方向を向いている場合に、ソーラー発電部１１１が発電する電圧は高くなる（電力量は多くなる）。そのため、ソーラー発電部１１１が発電する電圧が高い場合（電力量が多い場合）には紫外線センサ１０４の紫外線受光面が太陽の方向（所定の方向）を向いており、紫外線センサ１０４は、より正確に紫外線強度を測定することができる。
【００７９】
次に、ソーラー発電部１１１の発電電圧と、照度および天候との関係について説明する。図１０は、本実施形態において、ソーラー発電部１１１に照射される光の照度とソーラー発電部１１１の発電電圧との関係を示したグラフ、および室内における照度と、曇りの場合の屋外の照度と、晴天の場合の屋外の照度とを示した図である。
【００８０】
図示する例では、ソーラー発電部１１１の受光面に照射される光の照度が１００ルクス（ｌｘ）の場合、ソーラー発電部１１１の発電電圧は３Ｖである。また、ソーラー発電部１１１の受光面に照射される光の照度が１００００ルクスの場合、ソーラー発電部１１１の発電電圧は５．２Ｖである。また、ソーラー発電部１１１の受光面に照射される光の照度が１０００００ルクスの場合、ソーラー発電部１１１の発電電圧は６Ｖである。ソーラー発電部１１１の受光面に照射される光の照度が他の照度の場合におけるソーラー発電部１１１の発電電圧は図示するとおりである。
【００８１】
また、図示する例では、室内の照度は３０００ルクス未満であり、曇りの場合の屋外の照度は３０００ルクス以上１００００ルクス未満であり、晴天の場合の屋外の照度は１００００ルクス以上であることを示している。
【００８２】
このように、ソーラー発電部１１１に照射される光の照度とソーラー発電部１１１の発電電圧とが関連しており、室内における照度の範囲と、曇りの場合の屋外における照度の範囲と、晴天の場合の屋外における照度の範囲とがある程度決まっている。そのため、紫外線測定装置５００は、ソーラー発電部１１１の受光面が太陽の方向に向いている場合の発電電圧の高低により、光の照度が強い場所、すなわち、紫外線強度の強い場所に存在しているか否かを判定することができる。なお、ソーラー発電部１１１の受光面が太陽の方向に向いていなければ、紫外線測定装置５００が紫外線強度の強い場所に存在していたとしても、ソーラー発電部１１１の発電量は低くなる。
【００８３】
本実施形態では、紫外線測定装置５００は、光の照度が１００００ルクス以上の場所に存在しており、紫外線センサ１０４の紫外線受光面とソーラー発電部１１１の受光面とが太陽の方向を向いている場合に紫外線強度の測定を行う。すなわち、紫外線測定装置５００は、ソーラー発電部１１１の発電電圧が５．２Ｖ以上であれば、紫外線強度の測定開始条件を満たすと判定して紫外線強度の測定を行う。なお、紫外線測定装置５００が紫外線強度の測定開始条件を満たすと判定する基準となるソーラー発電部１１１の発電量（発電電圧）は予め決められていてもよく、ソーラー発電部１１１の発電能力等に応じて任意に設定できるようにしてもよく、ユーザーの指定により任意に設定できるようにしてもよい。
【００８４】
次に、本実施形態における紫外線測定装置５００の動作について説明する。図１１は、本実施形態における紫外線測定装置５００の動作を示したフローチャートである。
【００８５】
（ステップＳ５０１）発電電圧検知部１１２は、ソーラー発電部１１１の発電量（発電電圧）を測定する。その後、ステップＳ５０２の処理に進む。なお、本実施形態では、発電量として発電電圧を用いるが、これに限らない。例えば、発電電流などソーラー発電部１１１の発電量に応じて変化する値であればどのような値を用いてもよい。
【００８６】
（ステップＳ５０２）ＣＰＵ１０１は、ステップＳ５０１で発電電圧検知部１１２が測定したソーラー発電部１１１の発電量（発電電圧）が所定値以上（５．２Ｖ以上）であるか否かを判定する。ソーラー発電部１１１の発電量が所定値以上であるとＣＰＵ１０１が判定した場合にはステップＳ５０３の処理に進み、それ以外の場合にはステップＳ５０５の処理に進む。
【００８７】
（ステップＳ５０３）ＣＰＵ１０１は、紫外線強度の測定開始条件を満たすと判定する。その後、ステップＳ５０４の処理に進む。
（ステップＳ５０４）ＣＰＵ１０１は、紫外線強度を測定する機能を動作させる。その後、処理を終了する。具体的には、ＣＰＵ１０１は、紫外線センサ１０４と、増幅部１０５と、Ａ／Ｄ変換部１０６とを動作させる。これにより、紫外線センサ１０４は、紫外線の強度に応じたアナログ信号を出力し、増幅部１０５は、紫外線センサ１０４が出力するアナログ信号を増幅し、Ａ／Ｄ変換部１０６は、増幅部１０５が増幅したアナログ信号をデジタル信号に変換する。
【００８８】
（ステップＳ５０５）ＣＰＵ１０１は、紫外線強度の測定開始条件を満たしていないと判定する。その後、ステップＳ５０６の処理に進む。
（ステップＳ５０６）ＣＰＵ１０１は、紫外線強度を測定する機能を停止させる。その後、処理を終了する。具体的には、ＣＰＵ１０１は、紫外線センサ１０４と、増幅部１０５と、Ａ／Ｄ変換部１０６とを停止させる。これにより、紫外線センサ１０４と、増幅部１０５と、Ａ／Ｄ変換部１０６とが消費する電力を抑えることができる。
【００８９】
上述したとおり、本実施形態によれば、紫外線測定装置５００は、ソーラー発電部１１１の発電量に基づいて、紫外線の強度が強い場所に存在しており紫外線センサ１０４の紫外線受光面が太陽の方向を向いているか否かを判定し、紫外線の強度が強い場所に存在しており紫外線センサ１０４の紫外線受光面が太陽の方向を向いている場合には紫外線強度を測定する機能を動作させ、それ以外の場合には紫外線強度を測定する機能を停止させる。
【００９０】
これにより、ユーザーが紫外線の強度を測定するための操作を行うことなく、紫外線測定装置５００は、紫外線の強度が強い場所に存在しており紫外線センサ１０４の紫外線受光面が太陽の方向を向いている場合には自動的に紫外線の測定を行うことができる。また、紫外線測定装置５００は、紫外線センサ１０４の紫外線受光面が太陽の方向に向いている場合に紫外線強度の測定を行うため、紫外線の強度をより正確に測定することができる。さらに、紫外線測定装置５００は、紫外線強度の弱い場所に存在している、または紫外線センサ１０４の紫外線受光面が太陽の方向に向いていない場合には、自動的に紫外線の測定を停止させるため、消費電力を削減することができる。
【００９１】
（第六の実施形態）
以下、本発明の第六の実施形態について、図面を参照しながら説明する。本実施形態の紫外線測定装置５００の構成は、第五の実施形態における紫外線測定装置５００の構成と同様の構成である。本実施形態の紫外線測定装置５００と第五の実施形態における紫外線測定装置５００とで異なる点は、本実施形態の紫外線測定装置５００は、紫外線強度の測定を行う場合に、ある一定期間、一定間隔（サンプリング）で紫外線強度を取得し、最大値を測定値とする。これは、紫外線強度の測定を行う場合に、常に紫外線強度を取得するのではなく、一定間隔で紫外線強度を取得することで、より消費電力を削減させるためである。なお、紫外線測定装置５００が紫外線強度を取得する一定期間および一定間隔は予め定められていてもよく、ユーザーの指定により任意に変更できるようにしてもよい。
【００９２】
次に、本実施形態における紫外線測定装置５００の動作について説明する。図１２は、本実施形態における紫外線測定装置５００の動作を示したフローチャートである。
【００９３】
（ステップＳ６０１）発電電圧検知部１１２は、ソーラー発電部１１１の発電量を測定する。その後、ステップＳ６０２の処理に進む。
【００９４】
（ステップＳ６０２）ＣＰＵ１０１は、ステップＳ６０１で発電電圧検知部１１２が測定したソーラー発電部１１１の発電量が所定値以上であるか否かを判定する。ソーラー発電部１１１の発電量が所定値以上であるとＣＰＵ１０１が判定した場合にはステップＳ６０３の処理に進み、それ以外の場合にはステップＳ６０１の処理に戻る。
【００９５】
（ステップＳ６０３）ＣＰＵ１０１は、紫外線強度の測定開始条件を満たすと判定する。その後、ステップＳ６０４の処理に進む。
（ステップＳ６０４）ＣＰＵ１０１は、紫外線強度の測定（ステップＳ６０５〜ステップＳ６０９の処理）を開始する。
【００９６】
（ステップＳ６０５）ＣＰＵ１０１は、時計部１０７が出力する現在の時刻と、記憶部１０９に記憶されている前回紫外線の強度を取得した時刻とに基づいて、前回紫外線の強度を取得した時刻からｎ秒（一定間隔、例えば、１２５ｍｓ）経過したか否かを判定する。時計部１０７が出力する現在の時刻が、記憶部１０９に記憶されている前回紫外線の強度を取得した時刻からｎ秒経過しているとＣＰＵ１０１が判定した場合にはステップＳ６０６の処理に進み、それ以外の場合にはステップＳ６０５の処理を再度実行する。なお、ステップＳ６０５の処理を初めて行った場合には、未だ紫外線強度を取得していないため、ステップＳ６０６の処理に進む。
【００９７】
（ステップＳ６０６）紫外線ＣＰＵ１０１は、紫外線センサ１０４と、増幅部１０５と、Ａ／Ｄ変換部１０６とを動作させる。紫外線センサ１０５は、紫外線の強度に応じたアナログ信号を出力する。増幅部１０５は、紫外線センサ１０４が出力するアナログ信号を増幅する。Ａ／Ｄ変換部１０６は、増幅部１０５が増幅したアナログ信号をデジタル信号に変換する。ＣＰＵ１０１は、入力されたデジタル信号に基づいて紫外線の強度を取得し、時計部１０７が出力する現在の時刻と取得した紫外線強度とを関連付けて記憶部１０９に記憶させる。その後、ステップＳ６０７の処理に進む。
【００９８】
（ステップＳ６０７）発電電圧検知部１１２は、ソーラー発電部１１１の発電量を測定する。その後、ステップＳ６０８の処理に進む。
【００９９】
（ステップＳ６０８）ＣＰＵ１０１は、ステップＳ６０７で発電電圧検知部１１２が測定したソーラー発電部１１１の発電量が所定値以上であるか否かを判定する。ソーラー発電部１１１の発電量が所定値以上であるとＣＰＵ１０１が判定した場合にはステップＳ６０９の処理に進み、それ以外の場合にはステップＳ６１０の処理に進む。
【０１００】
（ステップＳ６０９）ＣＰＵ１０１は、時計部１０７が出力する現在の時刻と、記憶部１０９に記憶されている一番初めに紫外線強度を取得した時刻とに基づいて、一番初めに紫外線強度を取得した時刻からｍ秒（一定期間、例えば３０秒）経過したか否かを判定する。時計部１０７が出力する現在の時刻が、記憶部１０９に記憶されている一番初めに紫外線強度を取得した時刻からｍ秒経過しているとＣＰＵ１０１が判定した場合にはステップＳ６１０の処理に進み、それ以外の場合にはステップＳ６０５の処理に戻る。
【０１０１】
（ステップＳ６１０）ＣＰＵ１０１は、紫外線強度の測定（ステップＳ６０５〜ステップＳ６０９の処理）を終了する。その後、ステップＳ６１１の処理に進む。
（ステップＳ６１１）ＣＰＵ１０１は、ステップＳ６０６で取得した紫外線強度のうち、最大の値を検索する。その後、ステップＳ６１２の処理に進む。
（ステップＳ６１２）ＣＰＵ１０１は、ステップＳ６１１で検索した紫外線強度のうち最大の値を、測定した紫外線強度値として表示部１０８に表示させる。その後、処理を終了する。
【０１０２】
上述したとおり、本実施形態によれば、紫外線測定装置５００は、ソーラー発電部１１１の発電量に基づいて、紫外線の強度が強い場所に存在しており紫外線センサ１０４の紫外線受光面が太陽の方向を向いているか否かを判定し、紫外線の強度が強い場所に存在しており紫外線センサ１０４の紫外線受光面が太陽の方向を向いている場合にのみ紫外線強度を測定する。また、紫外線測定装置５００は、紫外線強度の測定を行う場合に、ある一定期間、一定間隔（サンプリング）で紫外線強度を取得し、取得した紫外線強度のうち最大値を紫外線強度の測定値とする。これにより、紫外線測定装置５００が紫外線強度を取得する回数は少なくなるため、より消費電力を低減することができる。
【０１０３】
（第七の実施形態）
以下、本発明の第七の実施形態について、図面を参照しながら説明する。本実施形態の紫外線測定装置５００の構成は、第六の実施形態における紫外線測定装置５００の構成と同様の構成である。本実施形態の紫外線測定装置５００と第六の実施形態における紫外線測定装置５００とで異なる点は、本実施形態の紫外線測定装置５００は、前回紫外線強度を測定してから一定時間経過した場合にのみ、次の紫外線強度の測定を開始する点である。これは、紫外線の強度は頻繁には変化しないため、一定時間毎に紫外線強度の測定を開始することで、より消費電力を低減させるためである。なお、紫外線測定装置５００が紫外線強度の測定を開始する時間間隔（一定時間）は予め定められていてもよく、ユーザーの指定により任意に変更できるようにしてもよい。
【０１０４】
次に、本実施形態における紫外線測定装置５００の動作について説明する。図１３は、本実施形態における紫外線測定装置５００の動作を示したフローチャートである。
【０１０５】
（ステップＳ７０１）ＣＰＵ１０１は、時計部１０７が出力する現在の時刻が、記憶部１０９に記憶されている前回紫外線強度の測定を終了した時刻からｘ分（一定時間、例えば３０分）経過したか否かを判定する。時計部１０７が出力する現在の時刻が、記憶部１０９に記憶されている前回紫外線強度の測定を終了した時刻からｘ分経過しているとＣＰＵ１０１が判定した場合にはステップＳ７０２の処理に進み、それ以外の場合には処理を終了する。なお、一度も紫外線強度の測定を行っていない場合には、ステップＳ７０２の処理に進む。
【０１０６】
ステップＳ７０２〜ステップＳ７１０の処理は、第２の実施形態におけるステップＳ６０１〜ステップＳ６０９の処理と同様の処理である。
【０１０７】
（ステップＳ７１１）ＣＰＵ１０１は、紫外線強度の測定（ステップＳ７０６〜ステップＳ７１０の処理）を終了し、紫外線強度の測定を終了した時刻として時計部１０７が出力する現在の時刻を記憶部１０９に記憶させる。その後、ステップＳ７１２の処理に進む。
（ステップＳ７１２）ＣＰＵ１０１は、ステップＳ７０７で取得した紫外線強度のうち、最大の値を検索する。その後、ステップＳ７１３の処理に進む。
（ステップＳ７１３）ＣＰＵ１０１は、ステップＳ７１２で検索した紫外線強度のうち最大の値を、測定した紫外線強度値として表示部１０８に表示させる。その後、処理を終了する。
【０１０８】
上述したとおり、本実施形態によれば、紫外線測定装置５００は、ソーラー発電部１１１の発電量に基づいて、紫外線の強度が強い場所に存在しており紫外線センサ１０４の紫外線受光面が太陽の方向を向いているか否かを判定し、紫外線の強度が強い場所に存在しており紫外線センサ１０４の紫外線受光面が太陽の方向を向いている場合にのみ紫外線強度を測定する。また、紫外線測定装置５００は、紫外線強度の測定を行う場合に、ある一定期間、一定間隔（サンプリング）で紫外線強度を取得し、取得した紫外線強度のうち最大値を紫外線強度の測定値とする。また、紫外線測定装置５００は、前回紫外線強度を測定してから一定時間経過した場合にのみ、次の紫外線強度の測定を開始する。これにより、紫外線測定装置５００が紫外線強度を測定する回数は少なくなるため、より消費電力を低減することができる。
【０１０９】
（第八の実施形態）
以下、本発明の第八の実施形態について、図面を参照しながら説明する。本実施形態の紫外線測定装置５００の構成は、第七の実施形態における紫外線測定装置５００の構成と同様の構成である。本実施形態の紫外線測定装置５００と第七の実施形態における紫外線測定装置５００とで異なる点は、本実施形態の紫外線測定装置５００は、前回紫外線強度を測定してから一定時間経過していない場合でも、前回測定した紫外線強度が基準値未満であり、前回紫外線強度を測定してから基準時間以上経過したときには、次の紫外線強度の測定を開始する点である。
【０１１０】
これは、偶然太陽が雲に隠れたときなど紫外線の強度が弱い時に紫外線を測定した場合、太陽が雲に隠れていないときなど紫外線の強度が強い時の紫外線の強度と大きく異なってしまう。そのため、前回測定した紫外線強度が基準値未満である場合には、再度紫外線強度を測定するまでの時間間隔（基準時間）を短くすることで、ユーザーの使用感を損なうことなく紫外線強度の測定を行うことができる。なお、前回測定した紫外線強度が基準値未満である場合に、紫外線測定装置５００が再度紫外線強度を測定するまでの時間間隔（基準時間）は予め定められていてもよく、ユーザーの指定などにより任意に変更できるようにしてもよい。
【０１１１】
次に、本実施形態における紫外線測定装置５００の動作について説明する。図１４は、本実施形態における紫外線測定装置５００の動作を示したフローチャートである。
【０１１２】
（ステップＳ８０１）ＣＰＵ１０１は、時計部１０７が出力する現在の時刻が、記憶部１０９に記憶されている前回紫外線強度の測定を終了した時刻からｘ分（一定時間、例えば３０分）経過したか否かを判定する。時計部１０７が出力する現在の時刻が、記憶部１０９に記憶されている前回紫外線強度の測定を終了した時刻からｘ分経過しているとＣＰＵ１０１が判定した場合にはステップＳ８０２の処理に進み、それ以外の場合にはステップＳ８１４の処理に進む。なお、一度も紫外線強度の測定を行っていない場合には、ステップＳ８０２の処理に進む。
【０１１３】
ステップＳ８０２〜ステップＳ８１１の処理は、第３の実施形態におけるステップＳ７０２〜ステップＳ７１１の処理と同様の処理である。
【０１１４】
（ステップＳ８１２）ＣＰＵ１０１は、ステップＳ８０７で取得した紫外線強度のうち最大の値を検索する。続いて、ＣＰＵ１０１は、検索した紫外線強度の最大の値を、ステップＳ８１１で記憶部１０９に記憶させた紫外線強度の測定を終了した時刻に関連付けて、記憶部１０９に記憶させる。その後、ステップＳ８１３の処理に進む。
（ステップＳ８１３）ＣＰＵ１０１は、ステップＳ８１２で検索した紫外線強度のうち最大の値を、測定した紫外線強度値として表示部１０８に表示させる。その後、処理を終了する。
【０１１５】
（ステップＳ８１４）ＣＰＵ１０１は、記憶部１０９に記憶されている前回紫外線強度を測定した際の紫外線強度値が基準値以上であるか否かを判定する。前回紫外線強度を測定した際の紫外線強度値が基準値以上であるとＣＰＵ１０１が判定した場合には処理を終了し、それ以外の場合にはステップＳ８１５の処理に進む。
【０１１６】
（ステップＳ８１５）ＣＰＵ１０１は、時計部１０７が出力する現在の時刻が、記憶部１０９に記憶されている前回紫外線強度の測定を終了した時刻からｙ分（基準時間、例えば１０分）経過したか否かを判定する。時計部１０７が出力する現在の時刻が、記憶部１０９に記憶されている前回紫外線強度の測定を終了した時刻からｙ分経過しているとＣＰＵ１０１が判定した場合にはステップＳ８０２の処理に戻り、それ以外の場合には処理を終了する。
【０１１７】
上述したとおり、本実施形態によれば、紫外線測定装置５００は、ソーラー発電部１１１の発電量に基づいて、紫外線の強度が強い場所に存在しており紫外線センサ１０４の紫外線受光面が太陽の方向を向いているか否かを判定し、紫外線の強度が強い場所に存在しており紫外線センサ１０４の紫外線受光面が太陽の方向を向いている場合にのみ紫外線強度を測定する。また、紫外線測定装置５００は、紫外線強度の測定を行う場合に、ある一定期間、一定間隔（サンプリング）で紫外線強度を取得し、取得した紫外線強度のうち最大値を紫外線強度の測定値とする。また、紫外線測定装置５００は、前回紫外線強度を測定してから一定時間経過していない場合でも、前回測定した紫外線強度が基準値未満であり、前回紫外線強度を測定してから基準時間以上経過したときには、次の紫外線強度の測定を開始する。これにより、ユーザーの使用感を損なうことなく紫外線強度の測定を行うことができる。
【０１１８】
（第九の実施形態）
以下、本発明の第九の実施形態について、図面を参照しながら説明する。本実施形態の紫外線測定装置５００の構成は、第七の実施形態における紫外線測定装置５００の構成と同様の構成である。本実施形態の紫外線測定装置５００と第七の実施形態における紫外線測定装置５００とで異なる点は、本実施形態の紫外線測定装置５００は、前回紫外線強度を測定してから一定時間経過していない場合でも、前回紫外線強度を測定した際に測定したソーラー発電部１１１の発電量よりも一定量以上ソーラー発電部１１１の発電量が増加したときには、次の紫外線強度の測定を開始する点である。
【０１１９】
これは、太陽光の強度が強くなった場合には紫外線量も増加するため、太陽光の強度が強くなりソーラー発電部１１１の発電量が増加した場合には再度紫外線強度を測定することで、ユーザーの使用感を損なうことなく紫外線強度の測定を行うことができる。なお、紫外線測定装置５００が紫外線強度の測定を開始するか否かを判定するための発電量の増加量（一定量）は予め定められていてもよく、ユーザーの指定により任意に変更できるようにしてもよい。
【０１２０】
次に、本実施形態における紫外線測定装置５００の動作について説明する。図１５は、本実施形態における紫外線測定装置５００の動作を示したフローチャートである。
【０１２１】
（ステップＳ９０１）ＣＰＵ１０１は、時計部１０７が出力する現在の時刻が、記憶部１０９に記憶されている前回紫外線強度の測定を終了した時刻からｘ分（一定時間、例えば３０分）経過したか否かを判定する。時計部１０７が出力する現在の時刻が、記憶部１０９に記憶されている前回紫外線強度の測定を終了した時刻からｘ分経過しているとＣＰＵ１０１が判定した場合にはステップＳ９０２の処理に進み、それ以外の場合にはステップＳ９１４の処理に進む。なお、一度も紫外線強度の測定を行っていない場合には、ステップＳ９０２の処理に進む。
【０１２２】
ステップＳ９０２〜ステップＳ９０７の処理は、第３の実施形態におけるステップＳ７０２〜ステップＳ７０７の処理と同様の処理である。
【０１２３】
（ステップＳ９０８）発電電圧検知部１１２は、ソーラー発電部１１１の発電量を測定する。ＣＰＵ１０１は、発電電圧検知部１０２が測定した発電量を記憶部１０９に記憶させる。その後、ステップＳ９０９の処理に進む。
【０１２４】
ステップＳ９０９〜ステップＳ９１３の処理は、第３の実施形態におけるステップＳ７０９〜ステップＳ７１３の処理と同様の処理である。
【０１２５】
（ステップＳ９１４）発電電圧検知部１１２は、ソーラー発電部１１１の発電量を測定する。その後、ステップＳ９１５の処理に進む。
【０１２６】
（ステップＳ９１５）ＣＰＵ１０１は、ステップＳ９１４で発電電圧検知部１０２が測定したソーラー発電部１１１の発電量が、記憶部１０９に記憶されている前回ステップＳ９０８で発電電圧検知部１０２が測定したソーラー発電部１１１の発電量から一定量以上（例えば、発電電圧が１Ｖ以上）増加しているか否かを判定する。ステップＳ９１４で発電電圧検知部１０２が測定したソーラー発電部１１１の発電量が、記憶部１０９に記憶されている前回ステップＳ９０８で発電電圧検知部１０２が測定したソーラー発電部１１１の発電量から一定量以上増加しているとＣＰＵ１０１が判定した場合には、ステップＳ９０２の処理に戻り、それ以外の場合には処理を終了する。
【０１２７】
上述したとおり、本実施形態によれば、紫外線測定装置５００は、ソーラー発電部１１１の発電量に基づいて、紫外線の強度が強い場所に存在しており紫外線センサ１０４の紫外線受光面が太陽の方向を向いているか否かを判定し、紫外線の強度が強い場所に存在しており紫外線センサ１０４の紫外線受光面が太陽の方向を向いている場合にのみ紫外線強度を測定する。また、紫外線測定装置５００は、紫外線強度の測定を行う場合に、ある一定期間、一定間隔（サンプリング）で紫外線強度を取得し、取得した紫外線強度のうち最大値を紫外線強度の測定値とする。また、紫外線測定装置５００は、前回紫外線強度を測定してから一定時間経過していない場合でも、前回紫外線強度を測定した際に測定したソーラー発電部１１１の発電量よりも一定量以上発電量が増加したときには、次の紫外線強度の測定を開始する。これにより、ユーザーの使用感を損なうことなく紫外線強度の測定を行うことができる。
【０１２８】
なお、上述した第五の実施形態から第九の実施形態における紫外線測定装置５００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１２９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３０】
以上、本発明の第五の実施形態から第九の実施形態について説明したが、本発明は、上記実施形態に限定されるものではなく、本発明の趣旨を逸脱しない範囲において種々の変更を加えることが可能である。例えば、紫外線測定装置５００は腕時計型の装置ではなく、容易に持ち運びが可能なように小型の装置としてもよい。また、紫外線測定装置５００を歩数計など他の電子機器に組み込んでもよい。
【０１３１】
（第十の実施形態）
以下、本発明の第十の実施形態について、図面を参照しながら説明する。図１６は、本実施形態における紫外線測定装置の構成を示したブロック図である。図示する例では、紫外線測定装置６００は、ＣＰＵ１０１（中央処理装置、制御部）と、入力部１０３と、紫外線検出部６０１と、光検出部６０２と、表示部１０８と、記憶部１０９と、報音部６０３とを備える。
【０１３２】
ＣＰＵ１０１は、紫外線測定装置６００が備える各部の制御を行う。入力部１０３は、外部から操作可能なスイッチによって構成されており、入力を受け付ける。紫外線検出部６０１は、紫外線を受光する紫外線受光面を備え、受光した（照射された）紫外線の強度に応じた信号を出力する。表示部１０８は、紫外線検出部６０１が検出した紫外線の強度を示す情報（測定値（μＷ／ｃｍ２）、ＵＶインデックスなど）や日時などを表示する。
【０１３３】
記憶部１０９は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、ＣＰＵ１０１が実行するプログラムや、紫外線測定装置６００が用いるデータなどを記憶する。報音部６０３はスピーカーなどであり、音声を出力する。
【０１３４】
次に、本実施形態における光検出部６０２の構成について説明する。図１７は、本実施形態における光検出部６０２の回路構成を示した回路図である。図示する例では、光検出部６０２は、フォトトランジスタ１０４１と、抵抗１０４２と、可変抵抗１０４３と、コンパレータ１０４４とを備えており、入射された光に応じて発生される微少電流を電圧信号として検出する。
【０１３５】
次に、本実施形態における紫外線測定装置６００が備える紫外線検出部６０１と光検出部６０２との配置について説明する。図１８は、本実施形態における紫外線測定装置６００の断面図である。図示する例では、紫外線測定装置６００の本体部３００には、紫外線検出部６０１と、光検出部６０２と、表示部１０８と、光（太陽光や紫外線）を透過するカバーガラス３０１，３０２と、基板３０３，３０４と、電池３０５と、光（太陽光や紫外線）を透過しない材質で構成されており、細い筒状の光の通り道（スリット）を有する部材３０６と、裏蓋３０７とが設けられている。
【０１３６】
紫外線測定装置６００には、紫外線検出部６０１の紫外線受光面と光検出部６０２の受光面とが同じ方向（または、ほぼ同じ方向）となるように、紫外線検出部６０１と光検出部６０２とが配置されている。また、光検出部６０２の受光面が太陽（光源）の方向を向いた場合にのみ（受光面の正面に太陽がある場合にのみ）太陽（光源）からの光が遮られることなく受光面に照射されるように、光検出部６０２の受光面の上方には部材３０６が配置されている。
【０１３７】
この構成により、光検出部６０２は、受光面が太陽（光源）の方向に向いた場合にのみ強度の強い光を検知する。また、光検出部６０２が強度の強い光を検知した場合には、光検出部６０２の受光面と同じ方向（または、ほぼ同じ方向）を向いている紫外線検出部６０１の紫外線受光面も光源（太陽）の方向（所定の方向）を向いている。これにより、紫外線測定装置６００のＣＰＵ１０１は、光検出部６０２による光の強度の検知結果（光検出部６０２の出力電圧）に基づいて紫外線検出部６０１の紫外線受光面が太陽（光源）の方向を向いている（受光面の正面に太陽がある）か否かを判定することができる。
【０１３８】
次に、本実施形態における表示部１０８の表示画面例について図１９から図２１を参照して説明する。図１９は、本実施形態における紫外線測定装置６００が、測定した紫外線量を、ＵＶインデックスを用いて表示部１０８に表示する際の画面例を示した概略図である。図示する例では、画面上部にタイトル「ＵＶ  ＭＯＤＥ」が表示され、画面下部にＵＶインデックス「ＵＶＩ  ５」が表示されている。これは、紫外線測定装置６００が測定した紫外線量はＵＶインデックス「５」であることを示している。
【０１３９】
図２０は、本実施形態における紫外線測定装置６００が、測定した紫外線量を、三段階（Ｈ（高）、Ｍ（中）、Ｌ（低））で表示部１０８に表示する際の画面例を示した概略図である。図示する例では、画面上部に「ＵＶ  Ｈ  Ｍ  Ｌ」が表示されており、「Ｈ」の表示色が反転色となっている。これは、紫外線測定装置６００が測定した紫外線量は高い（Ｈである）ことを示している。また、画面下部に、現在の時刻を表示している。
【０１４０】
図２１は、本実施形態における紫外線測定装置６００が、紫外線量を測定しない場合に表示部１０８に表示する画面例を示した概略図である。図示する例では、画面中央部に「−−」が表示されている。これは、紫外線測定装置６００は紫外線量を測定しないことを示している。
【０１４１】
次に、本実施形態における紫外線測定装置６００の動作について説明する。図２２は、本実施形態における紫外線測定装置６００の動作を示したフローチャートである。
【０１４２】
（ステップＳ１１０１）ユーザーは紫外線量の測定を行う場合、紫外線測定装置６００の入力部１０３を操作して紫外線量の測定を開始させる命令を入力する。ＣＰＵ１０１は、入力部１０３に紫外線量の測定を開始させる命令が入力されたか否かを判定する。入力部１０３に紫外線量の測定を開始させる命令が入力されたとＣＰＵ１０１が判定した場合にはステップＳ１１０２の処理に進み、それ以外の場合にはステップＳ１１０１の処理を再度実行する。
【０１４３】
（ステップＳ１１０２）ＣＰＵ１０１は、光検出部６０２に電力を供給（光検出部６０２の電源をＯＮに）する。その後、ステップＳ１１０３の処理に進む。なお、光検出部６０２は、電力が供給されている間、受光面に入射された光の強度に応じた電圧を出力する。
（ステップＳ１１０３）ＣＰＵ１０１は、紫外線検出部６０１に電力を供給（紫外線検出部６０１の電源をＯＮに）する。その後、ステップＳ１１０４の処理に進む。なお、紫外線検出部６０１は、電力が供給されている間、紫外線受光面に入射された紫外線の強度に応じた電圧を出力する。
【０１４４】
（ステップＳ１１０４）ＣＰＵ１０１は、光検出部６０２が出力する電圧が予め定められた閾値以上であるか否かを判定する。予め定められた閾値は、光検出部６０２の受光面に直射日光が真正面から当たったときに光検出部６０２が出力する電圧よりも低い値であり、光検出部６０２の受光面に直射日光が真正面から当たっていない場合や薄曇りなどのときに光検出部６０２が出力する電圧よりも高い値である。光検出部６０２が出力する電圧が予め定められた閾値以上であるとＣＰＵ１０１が判定した場合にはステップＳ１１０５の処理に進み、それ以外の場合にはステップＳ１１１１の処理に進む。なお、予め定められた閾値は、光検出部６０２の受光面に直射日光が真正面から当たったことを判定することができる値であればどのような値でもよく、ユーザーの指定により任意に変更できるようにしてもよい。
【０１４５】
（ステップＳ１１０５）ＣＰＵ１０１は、紫外線検出部６０１が出力する紫外線の強度に応じた電圧を取得する。その後、ステップＳ１１０６の処理に進む。
（ステップＳ１１０６）ＣＰＵ１０１は、光検出部６０２に供給している電力を停止（光検出部６０２の電源をＯＦＦに）する。その後、ステップＳ１１０７の処理に進む。
（ステップＳ１１０７）ＣＰＵ１０１は、紫外線検出部６０１に供給している電力を停止（紫外線検出部６０１の電源をＯＦＦに）する。その後、ステップＳ１１０８の処理に進む。
【０１４６】
（ステップＳ１１０８）ＣＰＵ１０１は、ステップＳ１１０５の処理で取得した紫外線検出部６０１が出力する紫外線の強度に応じた電圧に基づいて、紫外線強度を演算する。その後、ステップＳ１１０９の処理に進む。なお、紫外線強度の演算方法はどのような方法を用いてもよい。
【０１４７】
（ステップＳ１１０９）ＣＰＵ１０１は、ステップＳ１１０８の処理で演算した紫外線強度を表示部１０８に表示させる。その後、ステップＳ１１０の処理に進む。例えば、このとき表示部１０８に表示させる画面例としては、図１９または図２０に示した画面例である。
（ステップＳ１１１０）ＣＰＵ１０１は、紫外線強度の測定を正常に終了したことを報知する音声を報音部６０３に出力させる。その後、処理を終了する。
【０１４８】
（ステップＳ１１１１）ＣＰＵ１０１は、ステップＳ１１０１の処理を開始してから一定時間（例えば、３０秒）が経過したか否か（タイムアウトであるか否か）を判定する。ステップＳ１１０１の処理を開始してから一定時間が経過した（タイムアウトである）とＣＰＵ１０１が判定した場合にはステップＳ１１１２の処理に進み、それ以外の場合にはステップＳ１１０４の処理に戻る。なお、一定時間（タイムアウトまでの時間）は予め決められていてもよく、ユーザーの指定により任意に変更できるようにしてもよい。
【０１４９】
（ステップＳ１１１２）ＣＰＵ１０１は、光検出部６０２に供給している電力を停止（光検出部６０２の電源をＯＦＦに）する。その後、ステップＳ１１１３の処理に進む。
（ステップＳ１１１３）ＣＰＵ１０１は、紫外線検出部６０１に供給している電力を停止（紫外線検出部６０１の電源をＯＦＦに）する。その後、ステップＳ１１１４の処理に進む。
【０１５０】
（ステップＳ１１１４）ＣＰＵ１０１は、紫外線強度を測定しなかったことを知らせる画面を表示部１０８に表示させる。その後、ステップＳ１５０の処理に進む。例えば、このとき表示部１０８に表示させる画面例としては、図２１に示した画面例である。
（ステップＳ１１１５）ＣＰＵ１０１は、紫外線強度を測定しなかったことを報知する音声を報音部６０３に出力させる。その後、処理を終了する。
【０１５１】
上述したとおり、本実施形態によれば、紫外線測定装置６００には、紫外線検出部６０１の紫外線受光面と光検出部６０２の受光面とが同じ方向（または、ほぼ同じ方向）となるように、紫外線検出部６０１と光検出部６０２とが配置されている。また、光検出部６０２の受光面が太陽（光源）の方向を向いた場合にのみ（受光面の正面に太陽がある場合にのみ）太陽（光源）からの光が遮られることなく受光面に照射されるように、光検出部６０２の受光面の上方には部材３０６が配置されている。
【０１５２】
この構成により、光検出部６０２は、受光面が太陽（光源）の方向に向いた場合にのみ強度の強い光を検知する。また、光検出部６０２が強度の強い光を検知した場合には、光検出部６０２の受光面と同じ方向（または、ほぼ同じ方向）を向いている紫外線検出部６０１の紫外線受光面も光源（太陽）の方向を向いている。これにより、紫外線測定装置６００のＣＰＵ１０１は、光検出部６０２による光の検知結果（光検出部６０２の出力電圧）に基づいて紫外線検出部６０１の紫外線受光面が太陽（光源）の方向を向いている（受光面の正面に太陽がある）か否かを判定することができる。
【０１５３】
そして、紫外線測定装置６００は、紫外線検出部６０１の紫外線受光面が太陽（光源）の方向を向いている（受光面の正面に太陽がある）とＣＰＵ１０１が判定した場合には紫外線の強度を測定し、それ以外の場合には紫外線の強度を測定しない。従って、紫外線測定装置６００は、より正確な紫外線強度を測定することができる。
【０１５４】
また、紫外線測定装置６００は、紫外線強度の測定を正常に終了したことを報知する音声、または紫外線強度を測定しなかったことを報知する音声を出力する。これにより、ユーザーは、紫外線測定装置６００を太陽の方向に向けた場合に表示部１０８の表示を確認することが困難な場合においても、音声により測定が行われたか否かを確認することができる。
【０１５５】
また、予め定められた閾値は、光検出部６０２の受光面に直射日光が真正面から当たったことを判定することができる値としているため、紫外線測定装置６００は、うす曇のときなどは紫外線強度の測定を行わないが、その場合は紫外線量も低く、人体に害を及ぼさない程度なので紫外線計測は行わないことを意味する表示を行う。
【０１５６】
なお、上述した実施形態における紫外線測定装置６００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１５７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５８】
以上、本発明の第十の実施形態について説明したが、本発明は、上記実施形態に限定されるものではなく、本発明の趣旨を逸脱しない範囲において種々の変更を加えることが可能である。例えば、紫外線検出部６０１の紫外線受光面が太陽（光源）の方向を向いている（受光面の正面に太陽がある）か否かを判定するために用いる構成は、上記の構成に限らない。例えば、図２３に示すような構成であってもよい。
【０１５９】
図２３は、紫外線測定装置６００が備える紫外線検出部６０１と光検出部６０２との配置を示した概略図である。図示する例では、紫外線測定装置６００には、紫外線検出部６０１と、光検出部６０２の第１の受光面１０４５と第２の受光面１０４６と、光（太陽光や紫外線）を透過するカバーガラス８０１とが設けられている。なお、カバーガラス８０１の一部の領域（領域８０１１）は、光（太陽光や紫外線）を透過しないように加工されている。
【０１６０】
紫外線測定装置６００には、紫外線検出部６０１の紫外線受光面と光検出部６０２の第１の受光面１０４５と第２の受光面１０４６とが同じ方向（または、ほぼ同じ方向）となるように、紫外線検出部６０１と光検出部６０２とが配置されている。また、光検出部６０２の第１の受光面１０４５と第２の受光面１０４６とが太陽（光源）の方向を向いた場合にのみ（受光面の正面に太陽がある場合にのみ）第１の受光面１０４５に照射される光は遮られず第２の受光面１０４６に照射される光は遮られるように、第２の受光面１０４６の上方に配置されているカバーガラス８０１の領域８０１１は、光（太陽光や紫外線）を透過しないように加工されている。
【０１６１】
この構成により、第１の受光面１０４５と第２の受光面１０４６とが太陽（光源）の方向に向いた場合にのみ、第１の受光面１０４５は強度の強い光を検知して第２の受光面１０４６は強度の強い光を検知しない。また、第１の受光面１０４５は強度の強い光を検知して第２の受光面１０４６は強度の強い光を検知しない場合には、光検出部６０２の第１の受光面１０４５および第２の受光面１０４６と同じ方向（または、ほぼ同じ方向）を向いている紫外線検出部６０１の紫外線受光面も光源（太陽）の方向を向いている。これにより、紫外線測定装置６００のＣＰＵ１０１は、光検出部６０２（第１の受光面１０４５と第２の受光面１０４６）による光の検知結果（光検出部６０２の出力電圧）に基づいて紫外線検出部６０１の紫外線受光面が太陽（光源）の方向を向いている（受光面の正面に太陽がある）か否かを判定することができる。
【０１６２】
また、例えば、紫外線測定装置６００は、図１８に示した形状に限らず、腕時計型の装置など、どのような形状でもよい。また、紫外線測定装置６００を歩数計など他の電子機器に組み込んでもよい。
【０１６３】
（第十一の実施形態）
以下、図面を用いて本発明の第十一の実施形態に係る紫外線計測機能付電子腕時計について説明する。尚、各図において同一部分には同一符号を付している。
図２４は本実施形態に係る紫外線計測機能付電子腕時計７００のブロック図である。
図２４において、紫外線計測機能付電子腕時計７００は、記憶部１０９を有する中央処理装置（ＣＰＵ）１０１、複数（本実施形態では４つ）の入力スイッチＡ〜Ｄ、表示部１０８、照明部７０１、報音部６０３、紫外線センサ１０４、前記各電気的構成要素に駆動電力を供給する電源７０２、発振回路７０３及び分周回路７０４を備えている。
【０１６４】
記憶部１０９は、ＣＰＵ１０１が実行するプログラムを記憶しており又、計測した時間や紫外線強度等の各種データを記憶する。ＣＰＵ１０１は、記憶部１０９に予め記憶しているプログラムを実行することによって、本電子腕時計７００の各構成要素の制御を行い又、後述する処理を行う。
入力スイッチＡ〜Ｄは使用者が操作可能なスイッチである。
【０１６５】
紫外線センサ１０４は紫外線を受光した際に紫外線の強度に対応した信号を出力し、表示部１０８は紫外線センサ１０４が計測した紫外線の強度やＣＰＵ１０１にて計時された時刻や時間などを表示する。
報音部６０３は時報などの音を報知し、照明部７０１は入力スイッチＢの操作により表示部１０８を照明する。
また、発振回路７０３は所定周波数の信号を発生し、分周回路７０４は発振回路７０３からの信号を分周して計時動作の基準となる時計信号を出力する。ＣＰＵ１０１は前記時計信号を計数することによって現在時刻の計時や時間計測といった計時動作を行う。
【０１６６】
ここで、表示部１０８は表示手段を構成し、紫外線センサ１０４は後述する受光部２０３とともに紫外線強度検出手段を構成している。ＣＰＵ１０１は計時手段及び制御手段を構成している。また、入力スイッチＡ〜Ｄは入力手段を構成している。
入力手段は、少なくとも計時手段による計時動作を指示操作することができる。
表示手段は、後述する本体２０１を腕に装着した状態で表となる表面側に配置され、少なくとも前記計時手段が計時した情報を表示することができる。
【０１６７】
紫外線強度検出手段は、前記本体２０１の表面側に配設されている。
制御手段は、前記入力手段による指示操作と前記紫外線強度検出手段の紫外線強度計測を連動させるか否かを設定することができる。また、制御手段は、前記表示手段に、前記入力手段による指示操作と前記紫外線強度検出手段の紫外線強度計測が連動状態に設定されているか否かを表示させることができる。
【０１６８】
前記入力手段は第１、第２、第３の入力スイッチを備え、前記第１の入力スイッチは動作モードの切り換えを指示する機能を有し、前記第２の入力スイッチはストップウォッチ表示状態において計時の開始又は停止を指示する機能を有し、前記第３の入力スイッチはストップウォッチ計測状態においてラップ時間若しくはスプリット時間の計測指示、又は、ストップウォッチ停止中に計測値のリセット指示を行う機能を有し、更に前記第１の入力スイッチ、第２の入力スイッチ及び第３の入力スイッチのうち前記制御手段によって紫外線強度計測が連動するように設定されている入力スイッチは、当該入力スイッチが有する前記機能に連動して紫外線強度計測の指示を行うことができる。
【０１６９】
前記入力手段には、紫外線強度計測を指示する機能と、所定動作と紫外線強度計測を連動させるか否かを指示する機能とを有する入力スイッチを含ませることができる。
また、紫外線強度計測指示が連動するように設定された入力スイッチは、本体２０１を腕に装着した状態で前記紫外線強度検出手段の右側に位置するように配設することができる。
【０１７０】
図２５は、本実施形態に係る紫外線計測機能付電子腕時計７００の外観を示す正面図である。紫外線計測機能付電子腕時計７００は、図２５に示すように、左腕に装着して使用する形式の紫外線計測機能付電子腕時計の例である。
紫外線計測機能付電子腕時計７００は、紫外線強度計測機能及び計時機能を有する本体２０１及び本体２０１を腕に装着するためのバンド２０２や美錠（図示せず）等を備えている。
本体２０１には、本体２０１を左腕に装着した使用状態で視認可能な表面側に、表示部１０８及び紫外線を紫外線センサ１０４に導く窓である受光部２０３が配設されている。
【０１７１】
図２５では表示部１０８に、中央部に計測時間が表示され、前記計測時間の１０時方向にスプリット時間の表示であることを示す記号「ＳＰＬＩＴ」が表示され、前記計測時間の１２時方向に計測した紫外線強度値が表示されており又、前記計測時間の２時方向には「ＵＶ」という連動記号が表示されている。連動記号ＵＶは、第３の入力スイッチＤが有する機能に紫外線強度計測を連動しているか否かを表す記号である。連動記号ＵＶは、連動している場合（連動状態）は点灯し、連動しない場合（非連動状態）は消灯して、連動の有無に対応して点灯／消灯する。
【０１７２】
紫外線計測機能付電子腕時計７００は、受光部２０３は図２５のように表示部１０８と同じに本体２０１の表面に配置され又、表示部１０８の１２時方向に配置されている。本体２０１内の受光部２０３に対向する位置に紫外線センサ１０４が配設されており、前述したように、受光部２０３は紫外線センサ１０４とともに紫外線強度計測手段を構成している。
係る構成により、使用者が腕に装着した状態で表示部１０８を視認する際には、紫外線計測機能付電子腕時計７００（換言すれば本体２０１）はほぼ水平に保たれ、紫外線センサ１０４もほぼ水平に保たれる。したがって、紫外線は受光部２０３を通して紫外線センサ１０４により良好に受光されることになる。
【０１７３】
本体２０１の内部には、ＣＰＵ１０１、記憶部１０９、照明部７０１、報音部６０３、紫外線センサ１０４、電源７０２、発振回路７０３及び分周回路７０４が収納されている。
本体２０１には、第１の入力スイッチＡ、第２の入力スイッチＣ、第３の入力スイッチＤ及び第４の入力スイッチＢが突出するように設けられている。
【０１７４】
第４の入力スイッチＢは照明用の入力スイッチで、省略してもかまわない。第２、第３の入力スイッチＣ、Ｄは本体２０１の右側（換言すれば受光部２０３の右側（３時方向））に配置されており、入力操作の際に通常使用される右手によって紫外線センサ１０４の受光部２０３が覆い隠される事はない。したがって、第２、第３の入力スイッチＣ、Ｄの入力操作の際にも、紫外線センサ１０４は受光部２０３を介して良好に紫外線を受光することができる。
【０１７５】
第１の入力スイッチＡは、時刻表示、ストップウォッチ表示、ストップウォッチ計測データ表示、アラーム設定時間表示などの動作機能を切り換えるモードスイッチである。また、第１の入力スイッチＡは一定時間継続してオンにすることで、時刻等を修正可能な修正モードに移行させることができる。
第２の入力スイッチＣは、ストップウォッチ表示状態でストップウォッチが計時を開始する機能と停止する機能を有するスタート／ストップスイッチである。
【０１７６】
第３の入力スイッチＤは、ストップウォッチ計測中にはラップ時間やスプリット時間を計測する機能と、ストップウォッチが停止中は計測値をゼロ秒にリセットするラップ／リセットスイッチである。ここでラップタイムとはスタートから第１の中間点までの時間もしくは中間点と中間点の間の時間を表し、スプリット時間とはスタートから各中間点までの時間を表す。
【０１７７】
また、第３の入力スイッチＤは、時刻表示状態で操作することにより、紫外線強度測定を開始させる機能を有している。
また、時刻表示状態で第３の入力スイッチＤを一定時間以上オン状態にすることにより、ストップウォッチ状態で第３の入力スイッチＤが有する機能に紫外線強度計測を連動させるか否かを切り換えるように機能する。
連動の有無は、前述したように表示部１０８で連動記号ＵＶによって示される。
【０１７８】
このように、紫外線強度計測動作に連動する入力スイッチのうち少なくとも一つの入力スイッチＤが、本体２０１を左腕に装着した状態で受光部２０３の右側に位置するように配設されている。これにより、入力スイッチＤを操作して紫外線強度を測定する場合でも、受光部２０３が操作する手の陰に入ることがなく、紫外線強度計測が良好に行われる。
尚、第２、第３のスイッチＣ、Ｄは、ストップウォッチの開始と途中時間測定の機能を一つの入力スイッチに割り当て、ストップウォッチの停止とリセットをもう一つの入力スイッチに割り当てるように構成する等、種々の変更が可能である。即ち、第２の入力スイッチＣはストップウォッチ表示状態において計時の開始又は停止を指示する機能を有し、第３の入力スイッチＤはストップウォッチ計測状態においてラップ時間若しくはスプリット時間の計測指示、又は、ストップウォッチ停止中に計測値のリセット指示を行う機能を有するように構成することもできる。
【０１７９】
図２７は、紫外線強度計測機能付電子腕時計７００の操作に伴い動作モードが遷移し、表示部１０８の表示が変化する様子を示す説明図である。
図２７において、状態４０１は第３の入力スイッチＤが有する機能に紫外線強度計測機能が連動していない状態（非連動状態）、状態４０２は第３の入力スイッチＤが有する機能に紫外線強度計測機能が連動している状態（連動状態）である。
【０１８０】
非連動状態４０１において、第１の入力スイッチＡを押圧操作する毎に、時刻の計時及び表示を行う時刻モード（ＴＩＭＥ）から、ラップ時間やスプリット時間の時間計測を行うストップウォッチモード（ＣＨＲ）、計測したラップ時間等の表示を行うデータ表示モード（ＤＡＴＡ）、アラーム時刻表示等を行うアラームモード（ＡＬＡＲＭ）、時刻表示モード（ＴＩＭＥ）の順で遷移する。
時刻モード（ＴＩＭＥ）では、第３の入力スイッチＤを短時間だけ押圧操作することによって紫外線強度の測定が行われる。
【０１８１】
また、非連動状態４０１の時刻モード（ＴＩＭＥ）において、第３の入力スイッチＤを所定時間以上継続して押圧操作することにより、ＣＰＵ１０１は非連動状態４０１から連動状態４０２に遷移させる。ＣＰＵ１０１は、非連動状態４０１から連動状態４０２に切り換えた場合、表示部１０８が連動記号ＵＶを表示するように制御する。
ストップウォッチモード（ＣＨＲ）では、第２の入力スイッチＣは時間計測のスタート／ストップ指示用の入力スイッチとして機能し、第３の入力スイッチＤはラップ／スプリットの時点を指示するための入力スイッチとして機能する。
【０１８２】
一方、連動状態４０２においても、第１の入力スイッチＡを押圧操作する毎に、非連動状態４０１と同様に、時刻モード（ＴＩＭＥ）から、ストップウォッチモード（ＣＨＲ）、データ表示モード（ＤＡＴＡ）、アラームモード（ＡＬＡＲＭ）、時刻モード（ＴＩＭＥ）の順で遷移する。
時刻モード（ＴＩＭＥ）では、第３の入力スイッチＤを短時間だけ押圧操作することによって紫外線強度の測定が行われる。
また、連動状態４０２の時刻モード（ＴＩＭＥ）において、第３の入力スイッチＤを所定時間以上継続して押圧操作することにより、ＣＰＵ１０１は連動状態４０２から非連動状態４０１に遷移させる。ＣＰＵ１０１は、連動状態４０２から非連動状態４０１に切り換えた場合、表示部１０８が連動記号ＵＶを消灯するように制御する。
【０１８３】
連動状態４０２のストップウォッチモード（ＣＨＲ）では、第２の入力スイッチＣは非連動状態４０１と同様に時間計測のスタート／ストップ指示用の入力スイッチとして機能するが、第３の入力スイッチＤは、非連動状態４０１での機能とは異なり、ラップ／スプリットの時点を指示するための入力スイッチとして機能すると共に紫外線強度測定指示スイッチとして機能する。
即ち、連動状態４０２のストップウォッチモード（ＣＨＲ）では、第３の入力スイッチＤが押圧操作される毎に、ラップ／スプリットの時点が指示されると共に、受光部２０３を介して受光した紫外線の強度が紫外線センサ１０４によって計測され、表示部１０８に表示される。
【０１８４】
図２６は、本実施形態に係る紫外線計測機能付電子腕時計の処理を示すフローチャートであり、主としてＣＰＵ１０１が記憶部１０９に記憶されたプログラムを実行することによって行う処理を示している。
第３の入力スイッチＤが有する機能と紫外線強度計測機能とが連動状態にあるときの使用状態についてマラソンを例に図２６に基づいて説明する。
ＣＰＵ１０１は、分周回路７０４からの時計信号に基づいて計時動作を行い、現在時刻を計時している。
【０１８５】
先ず、非連動状態４０１の時刻モード（ＴＩＭＥ）で、入力スイッチＤを所定時間継続してオン操作し、第３の入力スイッチＤが有する機能と紫外線強度計測機能を連動状態４０２に設定しておく。このときＣＰＵ１０１は、連動状態４０２であることを表す紫外線計測連動フラグをオンにする。表示部１０８には連動記号ＵＶが表示される。
連動状態４０２の時刻モード（ＴＩＭＥ）で、第１入力スイッチＡを操作して、ストップウォッチモード（ＣＨＲ）に移行させる。
【０１８６】
この状態で、入力スイッチＣの操作によりストップウォッチの計時を開始させる。ＣＰＵ１０１は、ストップウォッチモード（ＣＨＲ）で入力スイッチＣが操作されたと判定すると（図２６のステップＳ１３０１）、ストップウォッチの計時動作を開始し、経過時間を表示部１０８に表示する（ステップＳ１３０２）。
１ｋｍや５ｋｍなど中間ポイントで使用者は時間計測を行う為、紫外線計測機能付電子腕時計７００を装着した左腕を胸の前方に出し、この状態で第３の入力スイッチＤを操作し、ラップ時間又はスプリット時間の計測を行い、表示部１０８を見る。
ＣＰＵ１０１は、第３の入力スイッチＤが操作（ラップ時間またはスプリット時間の計測操作）されたと判定すると（ステップＳ１３０３）、第３の入力スイッチＤが操作された時点の計測時間（ラップ時間またはスプリット時間）を記憶部１０９に保存し（ステップＳ１３０７）、表示部１０８に当該計測時間を表示させる（ステップＳ１３０８）。
【０１８７】
ＣＰＵ１０１は、紫外線計測連動フラグがオンである、即ち、第３の入力スイッチＤが有する機能と紫外線強度計測機能が連動状態４０２にあると判定すると（ステップＳ１３０９）、受光部２０３を介して紫外線センサ１０４が受光した紫外線の強度を計測して（ステップＳ１３１０）、前記紫外線強度の計測値を記憶部１０９に保存し（ステップＳ１３１１）、前記紫外線強度の計測値を表示部１０８に表示させる（ステップＳ１３１２）。
ＣＰＵ１０１は、前記紫外線強度の計測値を規定時間表示させた後（ステップＳ１３１３）、スタートからの経過時間もしくはラップ測定からの経過時間を表示部１０８に表示し、（ステップＳ１３１４）、処理ステップＳ１３０３に戻り次の入力待ちとなる。
【０１８８】
ＣＰＵ１０１は、処理ステップＳ１３０９において紫外線計測連動フラグがオフであれば紫外線強度測定を行わずに、ラップまたはスプリットの計測値を一定時間表示した後（ステップＳ１３１３、Ｓ１３１４）、スタートからの経過時間もしくはラップ測定からの経過時間を表示部１０８に表示し（ステップＳ１３１４）、処理ステップＳ１３０３に戻って次の入力待ちとなる。
ＣＰＵ１０１は、処理ステップＳ１３０３において第２の入力スイッチＣが操作（ストップ操作）されたことを検出すると、その時点まで計測した時間を記憶部１０９に保存し（ステップＳ１３０４）、表示部１０８に当該計測時間を表示させた後（ステップＳ１３０５）、計時動作を停止する（ステップＳ１３０６）。
ＣＰＵ１０１は、このようにして計測した紫外線強度に、紫外線を計測した累積時間を乗算することにより、累積の紫外線受光量を算出する。前記累積の紫外線受光量は、データ表示モード（ＤＡＴＡ）において、使用者の操作に応答して表示部１０８に表示される。
【０１８９】
このように、使用者は、ラップ時間またはスプリット時間の計測操作を行った際に、紫外線計測機能付電子腕時計７００の表示部１０８を視認するために自然な動作として、本体２０１をほぼ水平に保つようにする。
紫外線計測機能付電子腕時計７００は、第３の入力スイッチＤの操作によるラップ時間もしくはスプリット時間計測操作に連動して紫外線強度計測を行う為、本体２０１の姿勢がほぼ水平に保たれた状態（紫外線センサ１０４の紫外線受光面が所定の方向に向いた状態）で紫外線強度計測を行うことになり、紫外線強度計測毎の本体２０１の向きによる精度低下を小さく抑制することが可能になる。
また、長時間屋外で行う運動の場合、紫外線を累積でどの程度受けたのかは重要な指標とされており、本実施形態に係る紫外線計測機能付電子腕時計７００によれば累積の紫外線受光量を正確に計測することが可能になる。
【０１９０】
以上述べたように、本実施形態に係る紫外線計測機能付電子腕時計７００は、紫外線強度計測機能及び計時機能を有する本体を腕に装着して使用する紫外線計測機能付電子腕時計７００において、本体２０１を腕に装着した状態で表となる表面側に配置され、計時手段が計時した情報を表示する表示部１０８と、前記表面側に配設された受光部２０３から入射した紫外線の強度を計測する紫外線センサ１０４と、計時動作を行う計時手段と、少なくとも前記計時手段による計時動作を指示操作する入力スイッチＤと、入力スイッチＤによる指示操作と紫外線センサ１０４の紫外線強度計測動作を連動させるか否かを切り換える制御手段を備えている。
【０１９１】
したがって、紫外線計測機能付電子腕時計７００の姿勢による紫外線計測精度の劣化を抑制することが可能になる。
また、紫外線計測時の紫外線計測機能付電子腕時計７００の姿勢が、走行中においても紫外線計測に適した姿勢となるため紫外線強度を正確に計測する事が可能になる。即ち、操作する際は表示部１０８の表示を視認するため、表示部１０８を上に向けているので、紫外線測定開始以外のスイッチ操作に紫外線強度測定を連動させることで、測定時の紫外線を紫外線センサ１０４に導く窓部２０３の位置も常に上向きになり紫外線センサ１０４の姿勢に起因する精度低下を防止できる。
【０１９２】
また、さらにマラソン等の時間計時をしながら活動する運動の場合、ほぼ一定時間ごとラップ時間、スプリット時間の計測操作が行われるので、累積で紫外線をどの程度受けたのか、連続計測と同等の累積値を計測することが可能になる。
また、ラップ時間やスプリット時間の計測機能と紫外線強度計測機能を同一のスイッチで連動させることで、マラソンなど長時間屋外で行う運動の場合、各計測時の紫外線計測機能付電子腕時計７００の姿勢が同じであり又ほぼ一定時間ごとに計測操作が行われるので、累積で紫外線をどの程度受けたのか、連続計測と同等の累積値計測が可能である。
また、時間計測機能と紫外線計測機能を連動させるため、操作が簡単になるという効果を奏する。
【０１９３】
（第十二の実施形態）
以下、本発明の第十二の実施形態について、図面を参照しながら説明する。図２８は、本実施形態における紫外線測定装置の構成を示したブロック図である。図示する例では、紫外線測定装置９００は、ＣＰＵ１０１（中央処理装置、制御部）と、発振部１０２と、入力部１０３と、紫外線センサ１０４と、増幅部１０５と、Ａ／Ｄ（アナログ−デジタル）変換部１０６と、時計部１０７と、表示部１０８と、記憶部１０９と、電池部５１０と、ソーラー発電部１１１−１，１１１−２（第１のソーラー発電部、第２のソーラー発電部）と、発電電圧検知部１１２とを備える。
【０１９４】
ＣＰＵ１０１は、紫外線測定装置９００が備える各部の制御を行う。発振部１０２は、ＣＰＵ１０１用の規準クロック信号や計時用の時計信号を出力する。入力部１０３は、外部から操作可能なスイッチによって構成されており、入力を受け付ける。紫外線センサ１０４は、紫外線を受光する紫外線受光面を備え、受光した（照射された）紫外線の強度に応じたアナログ信号を出力する。増幅部１０５は、紫外線センサ１０４が出力するアナログ信号を増幅する。Ａ／Ｄ変換部１０６は、増幅部１０５が増幅したアナログ信号をデジタル信号に変換する。時計部１０７は、現在の日時（日付、時刻）を示す情報を出力する。表示部１０８は、紫外線センサ１０４が測定した紫外線の強度を示す情報（測定値（μＷ／ｃｍ２）、ＵＶインデックスなど）や日時などを表示する。
【０１９５】
記憶部１０９は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、ＣＰＵ１０１が実行するプログラムや、測定した紫外線の強度や紫外線の強度を測定した時刻など、紫外線測定装置９００が用いるデータを記憶する。電池部５１０は、充電可能な二次電池であり、紫外線測定装置９００が備える各部に電力を供給する。ソーラー発電部１１１−１，１１１−２は光を受光する受光面を備えた太陽電池であり、受光した（照射された）光に応じた電力を発電して電池部５１０を充電する。発電電圧検知部１１２（発電量測定部）は、ソーラー発電部１１１−１、１１１−２が発電した電圧（発電量）を検知する。
【０１９６】
次に、本実施形態における紫外線測定装置９００の外観について説明する。図２９は、本実施形態における紫外線測定装置９００の外観を示した外観図である。図示する例では、紫外線測定装置９００は腕時計型の装置であり、紫外線測定装置９００の外装ケース９０１の表面に、入力部１０３と、紫外線センサ１０４と、ソーラー発電部１１１−１，１１１−２と、表示部１０８と、カバーガラス９０３とが配置されている。具体的には、紫外線センサ１０４の紫外線受光面と、ソーラー発電部１１１−１，１１１−２の受光面（第１の受光面、第２の受光面）とが同じ方向（または、ほぼ同じ方向）を向くように、紫外線センサ１０４と、ソーラー発電部１１１−１，１１１−２とが紫外線測定装置９００の外装ケース９０１の前面に配置されている。また、表示部１０８が紫外線測定装置９００の外装ケース９０１の前面に配置されており、入力部１０３が紫外線測定装置９００の外装ケース９０１の側面に配置されている。また、カバーガラス９０３が、表示部１０８とソーラー発電部１１１−１，１１１−２とを覆うように、外装ケース９０１の前面に配置されている。
【０１９７】
次に、本実施形態における紫外線測定装置９００が備えるソーラー発電部１１１−１，１１１−２の配置について詳細に説明する。図３０は、本実施形態における紫外線測定装置９００の断面図である。図示する例では、紫外線測定装置９００の外装ケース９０１には、ソーラー発電部１１１−１，１１１−２と、表示部１０８と、カバーガラス９０３と、電池部５１０と基板９０２とが設けられている。
【０１９８】
外装ケース９０１の外周部９０４は、ソーラー発電部１１１−１，１１１−２の受光面よりも高くなっている。また、ソーラー発電部１１１−１，１１１−２は、外装ケース９０１の外周部９０４の内側に沿って配置されている。図示する例では、ソーラー発電部１１１−１は、外装ケース９０１の右側かつ外周部９０４の内側に沿って配置されており、ソーラー発電部１１１−２は外装ケース９０１の左側かつ外周部９０４の内側に沿って配置されている。
【０１９９】
そのため、太陽が外装ケースの左側斜め方向（例えば、図中の位置Ａ）に存在する場合には、ソーラー発電部１１１−１には太陽からの光が全て照射されるが、ソーラー発電部１１１−２の左側には外装ケース９０１の外周部９０４が存在するため、太陽からの光の一部が外周部９０４に遮られ、ソーラー発電部１１１−２には太陽からの光が全て照射されない。従って、ソーラー発電部１１１−１の発電量よりも、ソーラー発電部１１１−２の発電量の方が低い値となる。また、太陽が外装ケースの右側斜め方向（例えば、図中の位置Ｂ）に存在する場合には、ソーラー発電部１１１−２には太陽からの光が全て照射されるが、ソーラー発電部１１１−１の右側には外装ケース９０１の外周部９０４が存在するため、太陽からの光の一部が外周部９０４に遮られ、ソーラー発電部１１１−１には太陽からの光が全て照射されない。従って、ソーラー発電部１１１−２の発電量よりも、ソーラー発電部１１１−１の発電量の方が低い値となる。
【０２００】
また、太陽が外装ケースの上側（例えば、図中の位置Ｃ）に存在する場合には、外装ケース９０１の外周部９０４に遮られることなく、ソーラー発電部１１１−１，１１１−２には太陽からの光が全て照射される。従って、ソーラー発電部１１１−１の発電量とソーラー発電部１１１−２の発電量とが同じ値となる。
【０２０１】
すなわち、ソーラー発電部１１１−１，１１１−２の受光面が太陽の方向に向いた場合にのみ、太陽からの光が外装ケース９０１の外周部９０４に遮られることなく、ソーラー発電部１１１−１とソーラー発電部１１１−２との両方に太陽からの光が全て照射されるよう、紫外線測定装置９００にはソーラー発電部１１１−１，１１１−２が配置されている。
【０２０２】
この構成により、ソーラー発電部１１１−１，１１１−２の受光面が太陽（光源）の方向に向いた場合にのみ、ソーラー発電部１１１−１とソーラー発電部１１１−２との発電量が同じ量となる。従って、ソーラー発電部１１１−１とソーラー発電部１１１−２との発電量が同じ量であれば、ソーラー発電部１１１−１，１１１−２の受光面が太陽の方向に向いている。また、ソーラー発電部１１１−１，１１１−２の受光面と紫外線センサ１０４の紫外線受光面とは同じ方向（または、ほぼ同じ方向）を向いているため、ソーラー発電部１１１−１とソーラー発電部１１１−２との発電量が同じ量であれば、紫外線センサ１０４の紫外線受光面は太陽の方向（所定の方向）を向いている（受光面の正面に太陽がある）と判定することができ、ソーラー発電部１１１−１とソーラー発電部１１１−２との発電量が異なっていれば、紫外線センサ１０４の紫外線受光面は太陽の方向を向いていない（受光面の正面に太陽がない）と判定することができる。
【０２０３】
次に、本実施形態における紫外線測定装置９００の動作について説明する。図３１は、本実施形態における紫外線測定装置９００の動作を示したフローチャートである。
（ステップＳ１４０１）発電電圧検知部１１２は、ソーラー発電部１１１−１とソーラー発電部１１１−２との発電量（発電電圧）をそれぞれ測定する。その後、ステップＳ１４０２の処理に進む。なお、本実施形態では、発電量として発電電圧を用いるが、これに限らない。例えば、発電電流などソーラー発電部１１１−１，１１１−２の発電量に応じて変化する値であればどのような値を用いてもよい。
【０２０４】
（ステップＳ１４０２）ＣＰＵ１０１は、ステップＳ１４０１で発電電圧検知部１１２が測定したソーラー発電部１１１−１の発電量（発電電圧）とソーラー発電部１１１−２の発電量とが同一の値であるか否かを判定する。発電電圧検知部１１２が測定したソーラー発電部１１１−１の発電量とソーラー発電部１１１−２の発電量とが同一の値であるとＣＰＵ１０１が判定した場合にはステップＳ１４０３の処理に進み、それ以外の場合にはステップＳ１４０５の処理に進む。なお、ソーラー発電部１１１−１，１１１−２の発電量の誤差や発電電圧検知部１１２の測定誤差を考慮し、ソーラー発電部１１１−１，１１１−２の発電量の差が所定の閾値以内の差であれば、ＣＰＵ１０１はソーラー発電部１１１−１の発電量（発電電圧）とソーラー発電部１１１−２の発電量とが同一の値であると判定する。すなわち、同一の値には、ほぼ同一の値も含まれる。なお、所定の閾値は、ソーラー発電部１１１−１，１１１−２や発電電圧検知部１１２の特徴に応じて予め決められていてもよく、任意に決定することができるようにしてもよい。
【０２０５】
（ステップＳ１４０３）ＣＰＵ１０１は、紫外線強度の測定開始条件を満たすと判定する。その後、ステップＳ１４０４の処理に進む。
（ステップＳ１４０４）ＣＰＵ１０１は、紫外線強度を測定する機能を動作させる。その後、処理を終了する。具体的には、ＣＰＵ１０１は、紫外線センサ１０４と、増幅部１０５と、Ａ／Ｄ変換部１０６とを動作させる。これにより、紫外線センサ１０４は、紫外線の強度に応じたアナログ信号を出力し、増幅部１０５は、紫外線センサ１０４が出力するアナログ信号を増幅し、Ａ／Ｄ変換部１０６は、増幅部１０５が増幅したアナログ信号をデジタル信号に変換する。
【０２０６】
（ステップＳ１４０５）ＣＰＵ１０１は、紫外線強度の測定開始条件を満たしていないと判定する。その後、ステップＳ１４０６の処理に進む。
（ステップＳ１４０６）ＣＰＵ１０１は、紫外線強度を測定する機能を停止させる。その後、処理を終了する。具体的には、ＣＰＵ１０１は、紫外線センサ１０４と、増幅部１０５と、Ａ／Ｄ変換部１０６とを停止させる。これにより、紫外線センサ１０４と、増幅部１０５と、Ａ／Ｄ変換部１０６とが消費する電力を抑えることができる。
【０２０７】
上述したとおり、本実施形態によれば、紫外線測定装置９００は、ソーラー発電部１１１−１とソーラー発電部１１１−２との発電量に基づいて、紫外線センサ１０４の紫外線受光面が太陽の方向を向いているか否かを判定し、紫外線受光面が太陽の方向を向いている場合には紫外線強度を測定する機能を動作させ、それ以外の場合には紫外線強度を測定する機能を停止させる。
【０２０８】
これにより、ユーザーが紫外線の強度を測定するための操作を行うことなく、紫外線測定装置９００は、紫外線センサ１０４の紫外線受光面が太陽の方向を向いている場合には自動的に紫外線の測定を行うことができる。また、紫外線測定装置９００は、紫外線センサ１０４の紫外線受光面が太陽の方向に向いている場合に紫外線強度の測定を行うため、紫外線の強度をより正確に測定することができる。さらに、紫外線測定装置９００は、紫外線センサ１０４の紫外線受光面が太陽の方向に向いていない場合には、自動的に紫外線の測定を停止させるため、消費電力を削減することができる。
【０２０９】
なお、上述した実施形態における紫外線測定装置９００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０２１０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１１】
以上、本発明の第十二の実施形態について説明したが、本発明は、上記実施形態に限定されるものではなく、本発明の趣旨を逸脱しない範囲において種々の変更を加えることが可能である。例えば、紫外線測定装置９００は、２つのソーラー発電部１１１−１，１１１−２を備えているが、これに限らず、３つ以上のソーラー発電部を備えるようにしてもよい。この場合、紫外線測定装置９００が備える全てのソーラー発電部の受光面が太陽の方向に向いた場合にのみ、それぞれのソーラー発電部の発電量が同じ量となるように、紫外線測定装置９００にソーラー発電部を配置する必要がある。また、紫外線センサ１０４の紫外線受光面と、各ソーラー発電部の受光面とが同じ方向（または、ほぼ同じ方向）を向くように、紫外線センサ１０４と、各ソーラー発電部とを紫外線測定装置９００に配置する必要がある。
【０２１２】
また、本実施形態における紫外線測定装置９００は腕時計型の装置であったが、これに限らず、容易に持ち運びが可能な小型の装置としてもよい。また、紫外線測定装置９００を歩数計など他の電子機器に組み込んでもよい。
【符号の説明】
【０２１３】
１００，５００，６００，９００・・・紫外線測定装置、１０１・・・ＣＰＵ、１０２・・・発振部、１０３・・・入力部、１０４・・・紫外線センサ、１０５・・・増幅部、１０６・・・Ａ／Ｄ変換部、１０７・・・時計部、１０８・・・表示部、１０９・・・記憶部、１１０・・・姿勢検知部、１１１，１１１−１，１１１−２・・・ソーラー発電部、１１２・・・発電電圧検知部、２０１・・・本体、２０２・・・バンド、２０３・・・受光部、３００・・・本体部、３０１，３０２，８０１，９０３・・・カバーガラス、３０３，３０４，９０２・・・基板、３０５・・・電池、３０６・・・部材、３０７・・・裏蓋、４０１・・・非連動状態、４０２・・・連動状態、５１０・・・電池部、６０１・・・紫外線検出部、６０２・・・光検出部、６０３・・・報音部、７００・・・紫外線計測機能付電子腕時計、７０１・・・照明部、７０２・・・電源、７０３・・・発振回路、７０４・・・分周回路、９０１・・・外装ケース、９０４・・・外周部、１０４１・・・フォトトランジスタ、１０４２・・・抵抗、１０４３・・・可変抵抗、１０４４・・・コンパレータ、１０４５・・・第１の受光面、１０４６・・・第２の受光面、Ａ〜Ｄ・・・入力スイッチ
【図１】
2012013676.tif 000003
【図２】
2012013676.tif 000004
【図３】
2012013676.tif 000005
【図４】
2012013676.tif 000006
【図５】
2012013676.tif 000007
【図６】
2012013676.tif 000008
【図７】
2012013676.tif 000009
【図８】
2012013676.tif 000010
【図９】
2012013676.tif 000011
【図１０】
2012013676.tif 000012
【図１１】
2012013676.tif 000013
【図１２】
2012013676.tif 000014
【図１３】
2012013676.tif 000015
【図１４】
2012013676.tif 000016
【図１５】
2012013676.tif 000017
【図１６】
2012013676.tif 000018
【図１７】
2012013676.tif 000019
【図１８】
2012013676.tif 000020
【図１９】
2012013676.tif 000021
【図２０】
2012013676.tif 000022
【図２１】
2012013676.tif 000023
【図２２】
2012013676.tif 000024
【図２３】
2012013676.tif 000025
【図２４】
2012013676.tif 000026
【図２５】
2012013676.tif 000027
【図２６】
2012013676.tif 000028
【図２７】
2012013676.tif 000029
【図２８】
2012013676.tif 000030
【図２９】
2012013676.tif 000031
【図３０】
2012013676.tif 000032
【図３１】
2012013676.tif 000033